(57)【要約】【課題】特定の端末グループへのマルチキャストを行うことを可能にする。【解決手段】特定の端末グループ用のＭＢＳＦＮサブフレームに配置されるマルチキャストチャネルの構成を示すチャネル構成情報を取得する取得部と、上記チャネル構成情報を上記特定の端末グループに通知する制御部と、を備える装置が提供される。【選択図】図１９
2015142225.tif 000002
【特許請求の範囲】
【請求項１】
特定の端末グループ用のＭＢＳＦＮ（Multimedia  Broadcast  Multicast  Service（MBMS）  over  Single  Frequency  Network）サブフレームに配置されるマルチキャストチャネルの構成を示すチャネル構成情報を取得する取得部と、
前記チャネル構成情報を前記特定の端末グループに通知する制御部と、
を備える装置。
【請求項２】
前記制御部は、前記特定の端末グループ用の識別情報を使用して、前記チャネル構成情報を前記特定の端末グループに通知する、請求項１に記載の装置。
【請求項３】
前記識別情報は、前記特定の端末グループ用のＲＮＴＩ（Radio  Network  Temporary  Identifier）である、請求項２に記載の装置。
【請求項４】
前記制御部は、前記特定の端末グループに属する端末装置に前記識別情報を通知する、請求項２に記載の装置。
【請求項５】
前記マルチキャストチャネルは、ＭＣＣＨ（Multicast  Control  Channel）である、請求項１に記載の装置。
【請求項６】
前記制御部は、システム情報ブロックの中で前記チャネル構成情報を報知しない、請求項５に記載の装置。
【請求項７】
前記チャネル構成情報は、前記マルチキャストチャネルが配置されるサブフレームを示す情報を含む、請求項５に記載の装置。
【請求項８】
前記制御部は、前記マルチキャストチャネルの情報が変更されるときに、前記チャネル構成情報を前記特定の端末グループに通知する、請求項５に記載の装置。
【請求項９】
前記マルチキャストチャネルは、ＰＭＣＨ（Physical  Multicast  Channel）である、請求項１に記載の装置。
【請求項１０】
前記チャネル構成情報は、ＭＢＳＦＮエリアコンフィギュレーションメッセージである、請求項９に記載の装置。
【請求項１１】
前記制御部は、前記チャネル構成情報が変更されるときに、前記チャネル構成情報を前記特定の端末グループに通知する、請求項９に記載の装置。
【請求項１２】
前記制御部は、前記特定の端末グループに属する端末装置がＭＢＳＦＮエリアにおいて接続されるときに、前記チャネル構成情報を当該端末装置に通知する、請求項５に記載の装置。
【請求項１３】
前記制御部は、前記端末装置が前記ＭＢＳＦＮエリアにおいて接続されるときには、前記端末装置用の識別情報を使用して、前記チャネル構成情報を当該端末装置に通知する、請求項１２に記載の装置。
【請求項１４】
前記制御部は、前記特定の端末グループ用のＲＮＴＩを使用して、ＰＤＣＣＨ（Physical  Downlink  Control  Channel）上で送信されるＤＣＩ（Downlink  Control  Information）を通じて、前記チャネル構成情報を前記特定の端末グループに通知する、請求項１に記載の装置。
【請求項１５】
前記制御部は、前記ＲＮＴＩを使用して、前記ＤＣＩの中で、前記チャネル構成情報が送信される無線リソースを示すリソース割当て情報を前記特定の端末グループに通知することにより、前記チャネル構成情報を前記特定の端末グループに通知する、請求項１４に記載の装置。
【請求項１６】
前記制御部は、前記特定の端末グループ用のＲＮＴＩを使用して、ＰＤＣＣＨ上で送信されるＤＣＩの中で前記チャネル構成情報を前記特定の端末グループに通知する、請求項５に記載の装置。
【請求項１７】
前記制御部は、前記特定の端末グループ用のＲＮＴＩを使用して、前記特定の端末グループ用のＭＢＳＦＮサブフレームのうちのＭＣＣＨが配置されるサブフレームのＰＤＣＣＨ上で送信されるＤＣＩの中で、当該サブフレームにＭＣＣＨが配置されていることを前記特定の端末グループに通知することにより、前記チャネル構成情報を前記特定の端末グループに通知する、請求項９に記載の装置。
【請求項１８】
前記特定の端末グループは、ＣＳＧ（Closed  Subscriber  Group）である、請求項１に記載の装置。
【請求項１９】
前記装置は、スモールセルの基地局、当該基地局のための基地局装置、又は当該基地局装置のためのモジュールである、請求項１に記載の装置。
【請求項２０】
前記制御部は、前記特定の端末グループ用のＭＢＳＦＮサブフレームのうちのいずれのＭＴＣＨ（Multicast  Traffic  Channel）にも割り当てられないサブフレームの無線リソースを、前記特定の端末グループに属する端末装置に割り当てる、請求項１に記載の装置。
【請求項２１】
特定の端末グループ用の識別情報を取得する取得部と、
前記識別情報を使用して、前記特定の端末グループ用のＭＢＳＦＮサブフレームに配置されるマルチキャストチャネルの構成を示すチャネル構成情報であって、基地局により前記特定の端末グループに通知される前記チャネル構成情報を取得する制御部と、
を備える装置。
【請求項２２】
前記装置は、前記特定の端末グループに属する端末装置、又は当該端末装置のためのモジュールである、請求項２１に記載の装置。
【請求項２３】
前記制御部は、前記特定の端末グループ用のＭＢＳＦＮサブフレームのうちのいずれのＭＴＣＨにも割り当てられないサブフレームの無線リソースが端末装置に割り当てられているかを判定する、請求項２１に記載の装置。
【請求項２４】
特定の端末グループ用のＭＢＳＦＮサブフレームを決定する決定部、
を備える装置。
【請求項２５】
前記決定部は、前記ＭＢＳＦＮサブフレームにおけるマルチキャストチャネルの配置を決定する、請求項２４に記載の装置。
【請求項２６】
前記ＭＢＳＦＮサブフレームを基地局に通知する通知部をさらに備える、請求項２４に記載の装置。
【発明の詳細な説明】
【技術分野】
【０００１】
本開示は、装置に関する。
【背景技術】
【０００２】
セルラーネットワークにおいて、放送コンテンツのような同一のコンテンツを複数のユーザに配信する方式として、ＭＢＭＳ（Multicast  Broadcast  Multimedia  Services）が実用化されている。とりわけＬＴＥ（Long  Term  Evolution）では、複数のセルの基地局が互いに同期して同一コンテンツを配信するＭＢＳＦＮ（MBMS  over  Single  Frequency  Network）が規格化されている。ＭＢＳＦＮにより、端末において、複数の基地局からの受信信号が合成され、受信品質が改善され得る。また、近年のトラフィックの増大への対応のため、さらに効率的なＭＢＳＦＮの運用が期待されている。
技術が提案されている。
【０００３】
例えば、非特許文献１には、ＭＢＭＳ及びＭＢＳＦＮに関して規格化された技術が開示されている。
【先行技術文献】
【非特許文献】
【０００４】
【非特許文献１】3GPP  TS  36.331  V11.5.0  (2013-09)  LTE;  Evolved  Universal  Terrestrial  Radio  Access  (E-UTRA);  Radio  Resource  Control  (RRC);  Protocol  Specification
【発明の概要】
【発明が解決しようとする課題】
【０００５】
しかし、上記特許文献１に開示されている技術では、ＭＢＳＦＮエリアに位置する全ての端末へのマルチキャストが想定されているので、特定の端末グループへのマルチキャストを行うことができない。
【０００６】
なお、例えば、フェムトセルのようなＣＳＧ（Closed  Subscriber  Group）セルでは、端末のアクセス権（ＣＳＧ  ＵＥであるか又は非ＣＳＧ  ＵＥであるか）に応じて、当該端末に提供されるサービスの品質及び／又は種類が変わり得る。しかしながら、やはり、ＣＳＧへのマルチキャストを行うことはできない。
【０００７】
そこで、特定の端末グループへのマルチキャストを行うことを可能にする仕組みが提供されることが望ましい。
【課題を解決するための手段】
【０００８】
本開示によれば、特定の端末グループ用のＭＢＳＦＮ（Multimedia  Broadcast  Multicast  Service（MBMS）  over  Single  Frequency  Network）サブフレームに配置されるマルチキャストチャネルの構成を示すチャネル構成情報を取得する取得部と、上記チャネル構成情報を上記特定の端末グループに通知する制御部と、を備える装置が提供される。
【０００９】
また、本開示によれば、特定の端末グループ用の識別情報を取得する取得部と、上記識別情報を使用して、上記特定の端末グループ用のＭＢＳＦＮサブフレームに配置されるマルチキャストチャネルの構成を示すチャネル構成情報であって、基地局により上記特定の端末グループに通知される上記チャネル構成情報を取得する制御部と、を備える装置が提供される。
【００１０】
また、本開示によれば、特定の端末グループ用のＭＢＳＦＮサブフレームを決定する決定部、を備える装置が提供される。
【発明の効果】
【００１１】
以上説明したように本開示によれば、特定の端末グループへのマルチキャストを行うことが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１２】
【図１】ＭＢＳＦＮエリアの例を説明するための説明図である。
【図２】ＭＢＭＳのためのチャネルを説明するための説明図である。
【図３】ＭＢＳＦＮサブフレームの例を説明するための説明図である。
【図４】ＭＢＳＦＮサブフレームで送信される信号の例を説明するための説明図である。
【図５】通常のサブフレーム内で送信されるＣＲＳの例を説明するための説明図である。
【図６】拡張サイクリックプレフィクスが使用される場合のサブフレーム内で送信されるＣＲＳの例を説明するための説明図である。
【図７】ＭＣＣＨが配置されるサブフレームの例を説明するための説明図である。
【図８】ＭＢＳＦＮサブフレームの例を説明するための説明図である。
【図９】ＰＭＣＨ及びＰＭＣＨにマッピングされるＭＴＣＨの例を説明するための説明図である。
【図１０】ＭＣＣＨの情報の変更に関する通知のタイミングの例を説明するための説明図である。
【図１１】ＭＢＳＦＮをサポートするＬＴＥネットワークの構成の一例を説明するための説明図である。
【図１２】ＭＢＭＳカウンティング手続きの例を説明するための説明図である。
【図１３】本開示の実施形態に係る通信システムの概略的な構成の一例を示す説明図である。
【図１４】第１の実施形態に係る制御装置の構成の一例を示すブロック図である。
【図１５】グループＭＢＳＦＮサブフレームの例を説明するための説明図である。
【図１６】ＭＢＳＦＮサブフレームにおけるＰＭＣＨの配置の例を説明するための説明図である。
【図１７】ＭＢＳＦＮサブフレームにおけるＭＴＣＨの配置の例を説明するための説明図である。
【図１８】第１の実施形態に係るスモール基地局の構成の一例を示すブロック図である。
【図１９】ＤＣＩの中でのグループＭＣＣＨ構成情報の通知の一例を説明するための説明図である。
【図２０】ＤＣＩの中でのグループＭＣＣＨ構成情報の通知の別の例を説明するための説明図である。
【図２１】割り当てられた無線リソースでのグループＭＣＣＨ構成情報の通知の例を説明するための説明図である。
【図２２】ＭＢＭＳサブフレームの例を説明するための説明図である。
【図２３】第１の実施形態に係る端末装置の構成の一例を示すブロック図である。
【図２４】第１の実施形態に係るネットワーク側の処理の概略的な流れの一例を示すシーケンス図である。
【図２５】第１の実施形態に係るマルチキャストに関する第１の処理の概略的な流れの一例を示すシーケンス図である。
【図２６】第１の実施形態に係るマルチキャストに関する第２の処理の概略的な流れの一例を示すシーケンス図である。
【図２７】第２の実施形態に係るスモール基地局の構成の一例を示すブロック図である。
【図２８】割り当てられた無線リソースでのグループＰＭＣＨ構成情報の通知の例を説明するための説明図である。
【図２９】ＭＣＣＨ上でのグループＰＭＣＨ構成情報の通知の例を説明するための説明図である。
【図３０】第２の実施形態に係る端末装置の構成の一例を示すブロック図である。
【図３１】第２の実施形態に係るマルチキャストに関する第１の処理の概略的な流れの一例を示すシーケンス図である。
【図３２】第３の実施形態に係るスモール基地局の構成の一例を示すブロック図である。
【図３３】第３の実施形態に係る端末装置の構成の一例を示すブロック図である。
【図３４】第３の実施形態に係る処理の概略的な流れの一例を示すシーケンス図である。
【図３５】第３の実施形態の変形例に係る処理の概略的な流れの一例を示すシーケンス図である。
【図３６】サーバの概略的な構成の一例を示すブロック図である。
【図３７】ｅＮＢの概略的な構成の第１の例を示すブロック図である。
【図３８】ｅＮＢの概略的な構成の第２の例を示すブロック図である。
【図３９】スマートフォンの概略的な構成の一例を示すブロック図である。
【図４０】カーナビゲーション装置の概略的な構成の一例を示すブロック図である。
【発明を実施するための形態】
【００１３】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．はじめに
２．通信システムの概略的な構成
３．第１の実施形態
３．１．制御装置の構成
３．２．スモール基地局の構成
３．３．端末装置の構成
３．４．処理の流れ
３．５．変形例
４．第２の実施形態
４．１．制御装置の構成
４．２．スモール基地局の構成
４．３．端末装置の構成
４．４．処理の流れ
４．５．変形例
５．第３の実施形態
５．１．概略
５．２．スモール基地局の構成
５．３．端末装置の構成
５．４．処理の流れ
５．５．変形例
６．応用例
６．１．制御装置に関する応用例
６．２．スモール基地局に関する応用例
６．３．端末装置に関する応用例
７．まとめ
【００１５】
＜＜１．はじめに＞＞
まず、図１〜図１２を参照して、ＭＢＭＳ及びＭＢＳＦＮに関する技術を説明する。
【００１６】
（ＭＢＳＦＮエリア）
ＭＢＳＦＮでは、複数の基地局が、互いに同期して同一のコンテンツを配信する。即ち、ＭＢＳＦＮでは、複数の基地局が、同一の無線リソースで同一のデータを送信する。当該複数の基地局のセル（即ち、複数のセル）は、ＭＢＳＦＮエリアと呼ばれる。各セルは、最大８個のＭＢＳＦＮエリアに属することができる。以下、図１を参照して、ＭＢＳＦＮエリアの具体例を説明する。
【００１７】
図１は、ＭＢＳＦＮエリアの例を説明するための説明図である。図１を参照すると、＃１〜＃１５のセルが示されている。この例では、ＭＢＳＦＮエリア０は＃１〜＃３、＃５〜＃８のセルを含み、ＭＢＳＦＮエリア１は＃７、＃９、＃１０、＃１３のセルを含み、ＭＢＳＦＮエリア２５５は＃８、＃９、＃１１〜＃１５のセルを含む。なお、＃７のセルは、ＭＢＳＦＮエリア０及びＭＢＳＦＮエリア１の両方に属する。また、＃８のセルは、ＭＢＳＦＮエリア０及びＭＢＳＦＮエリア２５５の両方に属する。また、＃９のセルは、ＭＢＳＦＮエリア１及びＭＢＳＦＮエリア２５５の両方に属する。また、＃４のセルは、いずれのＭＢＳＦＮエリアにも属さない。
【００１８】
（ＭＢＭＳに関するチャネル）
ＭＢＭＳのための論理チャネル、トランスポートチャネル及び物理チャネルが定められている。以下、この点について図２を参照して説明する。
【００１９】
図２は、ＭＢＭＳのためのチャネルを説明するための説明図である。図２を参照すると、ＬＴＥにおいて定められている論理チャネル、トランスポートチャネル及び物理チャネルが示されている。とりわけ、ＭＢＭＳのための論理チャネルとして、ＭＣＣＨ（Multicast  Control  Channel）及びＭＴＣＨ（Multicast  Traffic  Channel）が定められている。ＭＣＣＨは、ＭＢＳＦＮエリアコンフィギュレーションメッセージ（MBSFN  Area  Configuration  message）及びＭＢＭＳカウンティング要求メッセージ（MBM  Counting  Request  messega）などの制御情報を送信するためのチャネルである。また、ＭＴＣＨは、ＭＢＭＳのデータを送信するためのチャネルである。また、ＭＢＭＳのための物理チャネルとして、ＰＭＣＨ（Physical  Multicast  Channel）が定められている。ＭＣＣＨにマッピングされる制御情報及びＭＴＣＨにマッピングされるデータの両方が、トランスポートチャネルであるＭＣＨ（Multicast  Channel）を通じてＰＭＣＨにマッピングされる。
【００２０】
（ＭＢＳＦＮサブフレーム）
ＭＢＳＦＮの送信は、ＭＢＳＦＮサブフレームで行われる。ＭＢＳＦＮサブフレームは、無線フレーム割当て期間（Radio  Frame  Allocation  Period）、無線フレーム割当てオフセット（Radio  Frame  Allocation  Offset）、及びサブフレーム割当て（Subframe  Allocation）により示される。以下、図３を参照して、ＭＢＳＦＮサブフレームの具体例を説明する。
【００２１】
図３は、ＭＢＳＦＮサブフレームの例を説明するための説明図である。図３を参照すると、各ＳＦＮ（System  Frame  Number）の無線フレームに含まれるサブフレームが示されている。この例では、無線フレーム割当て期間は８であり、無線フレーム割当てオフセットは２である。また、サブフレーム割当ては、４フレームパターン（２４ビット）である。そのため、「ＳＦＮ  ｍｏｄ  ８  ＝２」を満たすＳＦＮ（即ち、２、１０、１８などのＳＦＮ）の無線フレームと、その後に続く３つの無線フレームとが、ＭＢＳＦＮのための無線フレームである。また、この例では、ＦＤＤ（Frequency  Division  Duplexing）が採用され、サブフレーム割当ては、「０１１０１０  ０１１０１０  ０１１０１０  ０１１０１０」である。ＦＤＤが採用される場合には、サブフレーム割当ての各ビットは、＃１、＃２、＃３、＃６、＃７及び＃８のサブフレームを示すので、上記無線フレームのうちの＃２、＃３及び＃７のサブフレームが、ＭＢＳＦＮサブフレームである。
【００２２】
システム情報及びページング情報が送信されるサブフレームは、ＭＢＳＦＮサブフレームとして使用されない。よって、ＦＤＤが採用される場合には、＃０、＃４、＃５及び＃９のサブフレームは、ＭＢＳＦＮサブフレームとして使用されない。また、ＴＤＤ（Time  Division  Duplexing）が採用される場合には、＃０、＃１、＃２、＃５及び＃６のサブフレームは、ＭＢＳＦＮサブフレームとして使用されない。
【００２３】
なお、ＭＢＳＦＮサブフレームは、例えば、ＳＩＢ（System  Information  Block）２の中で端末装置に通知される。これにより、端末装置は、ＭＢＳＦＮエリアを知ることができる。また、ＭＢＳＦＮエリアごとのＭＢＳＦＮサブフレームは、後述するように、ＭＣＣＨにマッピングされる制御情報（ＭＢＳＦＮエリアコンフィギュレーションメッセージ）の中でも端末装置に通知される。
【００２４】
（リファレンス信号）
ＭＢＳＦＮサブフレームは、ＭＢＳＦＮ領域（MBSFN  Region）及び非ＭＢＳＦＮ領域（Non-MBSFN  Region）を含む。ＰＭＣＨは、ＭＢＳＦＮ領域に配置されるので、ＭＣＣＨにマッピングされる制御情報及びＭＴＣＨにマッピングされるデータは、とりわけＭＢＳＦＮ領域内で送信される。
【００２５】
また、ＭＢＳＦＮエリアに属するセルの基地局は、ＭＢＳＦＮサブフレームのうちのとりわけＭＢＳＦＮ領域内で、同一の信号を送信する。そのため、これらの基地局は、ＭＢＳＦＮ領域内ではセル固有のリファレンス信号（Cell-specific  Reference  Signal：ＣＲＳ）を送信しない。その代わりに、これらの基地局は、ＭＢＳＦＮ用のリファレンス信号であるＭＢＳＦＮリファレンス信号（ＭＢＳＦＮ−ＲＳ）を送信する。ＭＢＳＦＮ−ＲＳは、ＭＢＳＦＮエリアに属する全てのセルにおいて、同一の無線リソース（即ち、同一のリソースエレメント）で送信される。以下、これらの点について図４を参照して具体例を説明する。
【００２６】
図４は、ＭＢＳＦＮサブフレームで送信される信号の例を説明するための説明図である。図４を参照すると、ＭＢＳＦＮサブフレーム内で時間方向に並ぶ２つのリソースブロック（ＲＢ）が示されている。この例では、ＭＢＳＦＮサブフレームは、時間方向において１２個のＯＦＤＭシンボルを含む。また、ＭＢＳＦＮサブフレームは、１２個のＯＦＤＭシンボルのうちの最初の２つのＯＦＤＭシンボルにわたる非ＭＢＳＦＮ領域と、その後に続くＭＢＳＦＮ領域とを含む。非ＭＢＳＦＮ領域では、ＣＲＳが送信され得る。一方、ＭＢＳＦＮ領域では、ＭＢＳＦＮエリアに属するセル間で共通のＭＢＳＦＮ−ＲＳが送信される。また、ＭＢＳＦＮ領域では、ＭＣＣＨにマッピングされる制御情報及び／又はＭＴＣＨにマッピングされるデータが送信される。
【００２７】
なお、ＭＢＳＦＮサブフレーム以外のサブフレームでは、ＣＲＳが送信される。当該ＣＲＳは、セルの選択、チャネル推定及び同期検波などのために使用される。以下、図５及び図６を参照して、ＣＲＳの具体例を説明する。
【００２８】
図５は、通常のサブフレーム内で送信されるＣＲＳの例を説明するための説明図である。図５を参照すると、通常のサブフレーム内で時間方向に並ぶ２つのリソースブロック（ＲＢ）が示されている。通常のサブフレームは、時間方向において１４個のＯＦＤＭシンボルを含む。ＣＲＳは、各ＲＢ内の所定のリソースエレメント（ＲＥ）で送信される。なお、上記所定のＲＥは、セルごとに設定される。
【００２９】
図６は、拡張サイクリックプレフィクス（Extended  Cyclic  Prefix）が使用される場合のサブフレーム内で送信されるＣＲＳの例を説明するための説明図である。図６を参照すると、拡張サイクリックプレフィクスが使用される場合のサブフレーム内で時間方向に並ぶ２つのリソースブロック（ＲＢ）が示されている。この場合のサブフレームは、時間方向において１２個のＯＦＤＭシンボルを含む。この場合も、ＣＲＳは、各ＲＢ内の所定のリソースエレメント（ＲＥ）で送信される。なお、上記所定のＲＥは、セルごとに設定される。
【００３０】
（ＭＣＣＨ、ＭＴＣＨ及びＰＭＣＨ）
−ＭＢＳＦＮエリアとＭＣＣＨとの関係
１つのＭＣＣＨは、１つのＭＢＳＦＮエリアに対応する。即ち、ＭＣＣＨは、セルが属するＭＢＳＦＮエリアごとに存在する。
【００３１】
−ＳＩＢ１３
ＳＩＢ１３は、ＭＣＣＨが配置されるサブフレームなどを示し、端末装置に通知される。より具体的には、ＳＩＢ１３は、ＭＣＣＨ反復期間（MCCH  Repetition  Period）、ＭＣＣＨオフセット及びサブフレーム割当て情報（Subframe  Allocation  Information）などを含む。以下、図７を参照して、ＭＣＣＨが配置されるサブフレームの具体例を説明する。
【００３２】
図７は、ＭＣＣＨが配置されるサブフレームの例を説明するための説明図である。図７を参照すると、各ＳＦＮ（System  Frame  Number）の無線フレームに含まれるサブフレームが示されている。この例のＭＢＳＦＮサブフレームは、図３に示されるＭＢＳＦＮサブフレームと同一である。この例では、ＭＣＣＨ反復期間は３２であり、ＭＣＣＨオフセットは５である。そのため、「ＳＦＮ  ｍｏｄ  ３２  ＝５」を満たすＳＦＮ（即ち、５、３７などのＳＦＮ）の無線フレームが、ＭＣＣＨが配置される無線フレームである。さらに、この例では、サブフレーム割当て情報が、「０１００００」である。ＦＤＤが採用される場合には、サブフレーム割当ての各ビットは、＃１、＃２、＃３、＃６、＃７及び＃８のサブフレームを示すので、上記無線フレームのうちの＃２のサブフレームが、ＭＣＣＨが配置されるサブフレームである。このように、ＭＣＣＨは、ＭＢＳＦＮサブフレームの中に定期的に配置される。
【００３３】
なお、ＭＣＣＨ及びＭＴＣＨはＭＡＣ（Media  Access  Control）レイヤで多重されるが、端末装置はＭＡＣヘッダの多重情報によりＭＣＣＨ及びＭＴＣＨを復調できる。
【００３４】
−ＭＢＳＦＮエリアコンフィギュレーションメッセージ
ＭＣＣＨには、ＭＢＳＦＮエリアコンフィギュレーションメッセージがマッピングされる。
【００３５】
−−共通サブフレーム割当て（ＣＳＡ）
まず、ＭＢＳＦＮエリアコンフィギュレーションメッセージは、共通サブフレーム割当て（Common  Subframe  Allocation：ＣＳＡ）パターンリスト、及びＣＳＡ期間を含み、これらの情報は、ＭＢＳＦＮエリアのＭＢＳＦＮサブフレームを示す。ＣＳＡパターンリストは、無線フレーム割当て期間、無線フレーム割当てオフセット及びサブフレーム割当てを含む。以下、図８を参照して、これらの情報により示されるＭＢＳＦＮサブフレームの具体例を説明する。
【００３６】
図８は、ＭＢＳＦＮサブフレームの例を説明するための説明図である。図８を参照すると、ＣＳＡ期間にわたる無線フレームが示されている。この例では、ＣＳＡ期間は、３２無線フレームである。また、この例では、ＣＳＡパターンリストは、エントリ１及びエントリ２を含む。エントリ１では、無線フレーム割当て期間が１６であり、無線フレーム割当てオフセットが０であり、サブフレーム割当てが１フレームパターン（６ビット）の「１００１００」である。よって、エントリ１のＭＢＳＦＮサブフレームは、ＳＦＮが０及び１６である２つの無線フレームの中の、＃１及び＃６のサブフレームである。エントリ２では、無線フレーム割当て期間が４であり、無線フレーム割当てオフセットが３であり、サブフレーム割当てが１フレームパターン（６ビット）の「００１００１」である。よって、エントリ２のＭＢＳＦＮサブフレームは、ＳＦＮが３、７、１１、１５、１９、２３、２７及び３１である８つの無線フレームの中の、＃３及び＃８のサブフレームである。よって、この例では、ＭＢＳＦＮサブフレームとして、ＣＳＡ期間の中の合計２０個のサブフレームが示される。
【００３７】
−−ＰＭＣＨ情報
さらに、ＭＢＳＦＮエリアコンフィギュレーションメッセージは、ＰＭＣＨ情報リストを含み、当該ＰＭＣＨ情報リストは、各ＰＭＣＨが配置されるＭＢＳＦＮサブフレーム、及び各ＰＭＣＨにマッピングされる１つ以上のＭＴＣＨを示す。また、ＰＭＣＨの中の最初のサブフレームでは、当該ＰＭＣＨにマッピングされるＭＴＣＨのスケジューリング情報であるＭＳＩ（MCH  Scheduling  Information）が送信され、ＰＭＣＨ情報リストは、当該ＭＳＩの送信の周期も示す。当該周期は、ＭＣＨスケジューリング期間（MCH  Scheduling  Period：ＭＳＰ）と呼ばれる。以下、図９を参照して、ＰＭＣＨ及びＰＭＣＨにマッピングされるＭＴＣＨの例を説明する。
【００３８】
図９は、ＰＭＣＨ及びＰＭＣＨにマッピングされるＭＴＣＨの例を説明するための説明図である。図９を参照すると、図８を参照して説明した２０個のＭＢＳＦＮサブフレームの４つのセットが示されている。即ち、４つのＣＳＡ期間（即ち、ＣＳＡ期間１〜４）にわたる８０個のＭＢＳＦＮサブフレームが示されている。この例では、ＣＳＡ期間（３２無線フレーム）内の２０個のＭＢＳＦＮサブフレームのうちの、１番目のサブフレームから７番目のサブフレームまでが、ＰＭＣＨ１に割り当てられている。また、８番目のサブフレームから１１番目のサブフレームまでが、ＰＭＣＨ２に、１２番目のサブフレームから１５番目のサブフレームまでが、ＰＭＣＨ３に、１６番目のサブフレームから２０番目のサブフレームまでが、ＰＭＣＨ４に、割り当てられている。また、ＰＭＣＨ１には、論理チャネル１及び２（即ち、ＭＴＣＨ１及び２）がマッピングされる。また、ＰＭＣＨ２には論理チャネル３（即ち、ＭＴＣＨ３）がマッピングされ、ＰＭＣＨ３には論理チャネル４（即ち、ＭＴＣＨ４）がマッピングされ、ＰＭＣＨ４には論理チャネル５（即ち、ＭＴＣＨ５）がマッピングされる。ＰＭＣＨ１に注目すると、ＰＭＣＨ１のＭＳＰは６４無線フレームであり、ＰＭＣＨ１では２つのＣＳＡ期間ごとにＭＳＩが送信される。ＣＳＡ期間１及び２では、ＰＭＣＨ１に割り当てられたＭＢＳＦＮサブフレームのうちの、１番目のサブフレームから９番目までのサブフレームに、論理チャネル１（即ち、ＭＴＣＨ１）が配置される。また、１０番目から１３番目のサブフレームに、論理チャネル２（即ち、ＭＴＣＨ２）が配置される。１４番目のサブフレームには、いずれの論理チャネル（ＭＴＣＨ）も配置されない。また、ＣＳＡ期間３及び４では、ＰＭＣＨ１に割り当てられたＭＢＳＦＮサブフレームのうちの、１番目のサブフレームから８番目までのサブフレームに、論理チャネル１が配置される。また、９番目から１２番目のサブフレームに、論理チャネル２が配置される。なお、１３番目のサブフレーム及び１４番目のサブフレームには、いずれの論理チャネル（ＭＴＣＨ）も配置されない。なお、図９に示されるように、ＭＢＳＦＮサブフレームには、ＭＣＣＨも配置される。
【００３９】
（ＭＣＣＨについての変更の通知）
ＭＣＣＨの情報に変更がある場合には、ＭＣＣＨの情報の変更が、ＭＢＳＦＮサブフレームの非ＭＢＳＦＮ領域内のＰＤＣＣＨ（Physical  Downlink  Control  Channel）上で送信されるＤＣＩ（Downlink  Control  Information）の中で全ての端末装置に通知される。具体的には、上記ＤＣＩには、ＭＣＣＨ変更通知インジケータ（MCCH  Change  Notification  Indicator）が含まれる。当該ＭＣＣＨ変更通知インジケータは、ＭＢＳＦＮエリアにそれぞれ対応する８ビットのビットマップである。なお、この通知には、ＭＢＭＳ  ＲＮＴＩ（Radio  Network  Temporary  Identity）、即ちＭ−ＲＮＴＩが使用される。
【００４０】
まず、ＭＣＣＨ変更期間（MCCH  modification  period）に、ＭＣＣＨの情報の変更の通知が行われ、その次のＭＣＣＨ変更期間に、変更された情報の通知が行われる。以下、この点について、図１０を参照して具体例を説明する。
【００４１】
図１０は、ＭＣＣＨの情報の変更に関する通知のタイミングの例を説明するための説明図である。図１０を参照すると、第１のＭＣＣＨ変更期間（ｎ）とそれに続く第２のＭＣＣＨの変更期間（ｎ＋１）とが示されている。このように、第１のＭＣＣＨ変更期間（ｎ）において、ＭＣＣＨの情報の変更の通知が行われ、その後、第２のＭＣＣＨ変更期間（ｎ＋１）において、変更された情報の通知が行われる。なお、端末装置のモビリティの確保のために、変更された情報は、最初のＭＣＣＨだけではなく、その後のＭＣＣＨでも送信される。ＭＣＣＨの情報は、比較的長時間をかけて変更される。
【００４２】
（ＭＢＳＦＮのためのシステム構成）
図１１を参照して、ＭＢＳＦＮをサポートするＬＴＥネットワークの構成の例を説明する。図１１は、ＭＢＳＦＮをサポートするＬＴＥネットワークの構成の一例を説明するための説明図である。図１１を参照すると、ＬＴＥネットワークは、ＭＣＥ（Multi-cell/Multicast  Coordination  Entity）、ＢＭ−ＳＣ（Broadcast/Multicast  Service  Center）、ＭＢＭＳ  ＧＷ（gateway）及びＭＭＥ（Mobility  Management  Entity）などを含む。これらのノードは、論理ノードである。ＭＣＥは、ＭＢＳＮＦエリアに属するセルのｅＮＢ（evolved  Node  B）に、同一の無線リソースで同一のデータを送信させる。具体的には、例えば、ＭＣＥは、ＭＢＳＮＦエリア内のＭＢＳＮＦに関するスケジューリングを行う。ＢＭ−ＳＣは、コンテンツプロバイダの認証、課金、及びコアネットワーク内のデータフロー制御などを行う。ＭＢＭＳ−ＧＷは、ＢＭ−ＳＣからｅＮＢまでのマルチキャストＩＰパケットの転送、及びＭＭＥ経由のセッション制御信号の処理などを行う。ＭＭＥは、ＮＡＳ（Non-Access  Stratum）信号の処理を行う。
【００４３】
なお、１つのＭＣＥが複数のｅＮＢに対応する例を説明したが、ＭＣＥは係る例に限定されない。例えば、各ｅＮＢがＭＣＥを備えてもよい。
【００４４】
（カウンティング手続き）
ＭＢＳＦＮでは、ＭＢＭＳカウンティング手続きを通じて、ＭＢＭＳサービスへの関心の情報が収集される。以下、図１２を参照して、ＭＢＭＳカウンティング手続きを説明する。
【００４５】
図１２は、ＭＢＭＳカウンティング手続きの例を説明するための説明図である。図１２を参照すると、まず、ＭＣＣＨの情報が変更されたとき、及び端末装置がＭＢＳＦＮエリアに入ったときに、端末装置は、ＭＢＳＦＮエリアコンフィギュレーションメッセージとともに、ＭＢＭＳカウンティング要求メッセージを受信する。そして、端末装置がＲＲＣ接続モードである場合に、端末装置が関心を有するＭＢＭＳサービスが、ＭＢＭＳカウンティング要求のリストに含まれていれば、端末装置は、当該ＭＢＭＳサービスの識別子を含むＭＢＭＳカウンティング応答メッセージ（MBMS  Counting  Response  message）をネットワークへ送信する。これにより、ＭＢＭＳサービスごとに、ＭＢＭＳサービスを受信し又はサービスに関心を有する端末装置の数をカウントすることが可能になる。そのため、カウンティングの結果に応じてＭＢＭＳサービスの開始及び終了を制御することが可能になる。
【００４６】
（端末の動作）
端末装置は、ＳＩＢ１３を受信し、ＭＣＣＨが配置されるサブフレームなどを特定する。そして、端末装置は、当該サブフレームで、ＭＣＣＨの情報としてＭＢＳＦＮエリアコンフィギュレーションメッセージを受信し、所望のＭＢＭＳセッションのＭＴＣＨがマッピングされるＰＭＣＨを特定する。その後、端末装置は、上記ＭＴＣＨがマッピングされる上記ＰＭＣＨのＭＳＩを受信し、上記ＭＴＣＨが配置されるサブフレームを特定する。そして、端末装置は、当該サブフレームで、上記ＭＴＣＨのデータ（即ち、上記所望のＭＢＭＳセッションのデータ）を受信する。このような動作によれば、端末装置は、必要最小限のサブフレームのみでの受信を行い、その他のサブフレームでスリープすることができる。そのため、端末装置の消費電力が抑えられる。
【００４７】
（ＨｅＮＢのアクセス制御）
フェムトセルのようなＣＳＧセルでは、端末のアクセス権（ＣＳＧ  ＵＥであるか又は非ＣＳＧ  ＵＥであるか）に応じて、当該端末に提供されるサービスの品質及び／又は種類が変わり得る。
【００４８】
ホームｅＮＢ（ＨｅＮＢ）は、ＣＳＧ  ＵＥのみがセルへのアクセスを行うことができるクローズドアクセスモードに加えて、アクセス制御が行われないオープンアクセスモードで動作することができる。さらに、ＨｅＮＢは、非ＣＳＧ  ＵＥもセルへのアクセスを行うことができるが、非ＣＳＧ  ＵＥと  ＣＳＧ  ＵＥとが区別されるハイブリッドアクセスモードでも動作することができる。
【００４９】
＜＜２．通信システムの概略的な構成＞＞
続いて、図１３を参照して、本開示の実施形態に係る通信システム１の概略的な構成を説明する。図１３は、本実施形態に係る通信システム１の概略的な構成の一例を示す説明図である。図１３を参照すると、通信システム１は、マクロ基地局１１、制御装置１００、スモール基地局２００及び端末装置３００を含む。通信システム１は、例えば、ＬＴＥ、ＬＴＥ−Ａｄｖａｎｃｅｄ、又はこれらに準ずる通信規格に準拠したシステムである。
【００５０】
マクロ基地局１１は、マクロセル１０内に位置する端末装置との無線通信を行う。マクロ基地局１１は、コアネットワーク４０に接続されている。
【００５１】
スモール基地局２００は、スモールセル２０内に位置する端末装置との無線通信を行う。スモールセル２０は、例えば、マクロセル１０と一部又は全体で重なる。また、複数のスモールセル２０は、同一のＭＢＳＮＦエリア３０に属し、ＭＢＳＮＦエリア３０では、複数のスモール基地局２００が、ＭＢＳＮＦサブフレーム内で、同一の無線リソースで同一の信号を送信する。なお、例えば、スモールセル２０は、フェムトセルであり、スモール基地局２００は、インターネット５０に接続されている。
【００５２】
制御装置１００は、上記複数のスモール基地局２００にとってのＭＣＥとして動作する。例えば、制御装置１００は、ＭＢＭＳ−ＧＷとしても動作する。制御装置１００は、例えば、インターネット５０に接続され、インターネット５０を介してスモール基地局２００と通信する。また、制御装置１００は、インターネット５０を介して、コアネットワーク４０内に位置するコアネットワークノード（例えば、ＭＭＥなど）、及び／又はマクロ基地局１１と通信し得る。
【００５３】
端末装置３００は、基地局との無線通信を行う。例えば、端末装置３００は、マクロセル１０内に位置する場合に、マクロ基地局１１との無線通信を行う。また、端末装置３００は、スモールセル２０内に位置する場合に、スモール基地局２００との無線通信を行う。
【００５４】
以上、本開示の実施形態に係る通信システム１の概略的な構成を説明した。本開示の実施形態によれば、スモール基地局２００は、特定の端末グループ用のＭＢＳＦＮサブフレームに配置されるマルチキャストチャネルの構成を示すチャネル構成情報を上記特定の端末グループに通知する。これにより、例えば、特定の端末グループへのマルチキャストを行うことが可能になる。なお、端末装置３００は、上記特定の端末グループに属する。また、例えば、上記特定の端末グループは、ＣＳＧである。
【００５５】
＜＜３．第１の実施形態＞＞
続いて、図１４〜図２６を参照して、本開示の第１の実施形態を説明する。上述したように、本開示の実施形態によれば、スモール基地局２００は、特定の端末グループ用のＭＢＳＦＮサブフレームに配置されるマルチキャストチャネルの構成を示すチャネル構成情報を上記特定の端末グループに通知する。とりわけ第１の実施形態では、当該マルチキャストチャネルは、ＭＣＣＨである。即ち、第１の実施形態によれば、スモール基地局２００は、特定の端末グループ用のＭＢＳＮＦサブフレームに配置されるＭＣＣＨの構成を示すチャネル構成情報を上記特定の端末グループに通知する。
【００５６】
＜３．１．制御装置の構成＞
まず、図１４〜図１７を参照して、第１の実施形態に係る制御装置１００−１の構成を説明する。図１４は、第１の実施形態に係る制御装置１００−１の構成の一例を示すブロック図である。図１４を参照すると、制御装置１００−１は、通信部１１０、記憶部１２０及び処理部１３０を備える。
【００５７】
（通信部１１０）
通信部１１０は、他の装置と通信する。例えば、通信部１１０は、スモール基地局２００−１と通信する。より具体的には、例えば、通信部１１０は、インターネット５０を介してスモール基地局２００−１と通信する。また、通信部１１０は、インターネット５０を介して、コアネットワーク４０内に位置するコアネットワークノード（例えば、ＭＭＥなど）、及び／又はマクロ基地局１１と通信し得る。
【００５８】
（記憶部１２０）
記憶部１２０は、制御装置１００−１の動作のためのプログラム及びデータを一時的にまたは恒久的に記憶する。
【００５９】
（処理部１３０）
処理部１３０は、制御装置１００−１の様々な機能を提供する。処理部１３０は、決定部１３１及び通知部１３３を含む。
【００６０】
（決定部１３１）
−ＭＢＳＦＮサブフレームの決定
決定部１３１は、例えば、ＭＢＳＦＮサブフレームを決定する。
【００６１】
具体的には、例えば、決定部１３１は、特定の端末グループ用のＭＢＳＦＮサブフレーム（以下、「グループＭＢＳＦＮサブフレーム」と呼ぶ）を決定する。当該特定の端末グループは、例えばＣＳＧである。また、例えば、決定部１３１は、通常のＭＢＳＦＮサブフレーム（即ち、全ての端末装置用のＭＢＳＦＮサブフレーム）も決定する。以下、この点について、図１５を参照して具体例を説明する。
【００６２】
図１５は、グループＭＢＳＦＮサブフレームの例を説明するための説明図である。図１５を参照すると、ＣＳＡ（Common  Subframe  Allocation）期間内の２０個のＭＢＳＦＮサブフレームが示されている。決定部１３１は、例えば、図８を参照して説明したような手法で、３２無線フレームの中の２０個のサブフレームをＭＢＳＦＮサブフレームとして決定する。そして、決定部１３１は、当該２０個のＭＢＳＦＮサブフレームのうちの１１個のＭＢＳＦＮサブフレームを、通常のＭＢＳＦＮサブフレーム（即ち、全ての端末装置用のＭＢＳＦＮサブフレーム）として決定する。また、決定部１３１は、当該２０個のＭＢＳＦＮサブフレームのうちの残りの９個のＭＢＳＦＮサブフレームを、グループＭＢＳＦＮサブフレームとして決定する。
【００６３】
なお、ＭＢＳＦＮサブフレームが決定され、当該ＭＢＳＦＮサブフレームの一部が通常のサブフレームとして決定され、当該ＭＢＳＦＮサブフレームの残りがグループＭＢＳＦＮサブフレームとして決定されるという一例を説明したが、グループＭＢＳＦＮサブフレームの決定の手法は係る例に限定されない。例えば、グループＭＢＳＦＮサブフレームは、通常のＭＢＳＦＮサブフレームから独立して決定されてもよい。具体的には、例えば、決定部１３１は、グループＭＢＳＦＮサブフレームのための無線フレーム割当て期間、無線フレーム割当てオフセット及びサブフレーム割当て（並びにＣＳＡ期間）を決定してもよい。この場合に、決定部１３１は、通常のＭＢＳＦＮサブフレームのための無線フレーム割当て期間、無線フレーム割当てオフセット及びサブフレーム割当て（並びにＣＳＡ期間）をさらに決定してもよい。あるいは、上記特定の端末グループのみに対するマルチキャストが行われ、決定部１３１は、通常のＭＢＳＦＮサブフレームを決定せず、グループＭＢＳＦＮサブフレームのみを決定してもよい。
【００６４】
−マルチキャストチャネルの配置の決定
決定部１３１は、ＭＢＳＦＮサブフレームにおけるマルチキャストチャネルの配置を決定する。
【００６５】
例えば、決定部１３１は、上記グループＭＢＳＦＮサブフレームにおけるマルチキャストチャネルの配置を決定する。また、例えば、決定部１３１は、上記通常のＭＢＳＦＮサブフレームにおけるマルチキャストチャネルの配置を決定する。
【００６６】
−−ＰＭＣＨ
例えば、上記マルチキャストチャネルは、ＰＭＣＨである。即ち、決定部１３１は、ＭＢＳＦＮサブフレームにおけるＰＭＣＨの配置を決定する。換言すると、決定部１３１は、ＭＢＳＦＮサブフレームをＰＭＣＨに割り当てる。
【００６７】
具体的には、例えば、決定部１３１は、上記グループＭＢＳＦＮサブフレームにおけるＰＭＣＨの配置を決定する。また、例えば、決定部１３１は、上記通常のＭＢＳＦＮサブフレームにおけるＰＭＣＨの配置を決定する。以下、この点について図１６を参照して具体例を説明する。
【００６８】
図１６は、ＭＢＳＦＮサブフレームにおけるＰＭＣＨの配置の例を説明するための説明図である。図１６を参照すると、図１５を参照して説明した２０個のＭＢＳＦＮサブフレームが示されている。上述したように、１１個のＭＢＳＦＮサブフレームが、通常のＭＢＳＦＮサブフレームであり、９個のＭＢＳＦＮサブフレームが、グループＭＢＳＦＮサブフレームである。この例では、上記通常のＭＢＳＦＮサブフレームのうちの７個のＭＢＳＦＮサブフレームにＰＭＣＨ１が配置され、上記通常のＭＢＳＦＮサブフレームのうちの４個のＭＢＳＦＮサブフレームにＰＭＣＨ２が配置される。換言すると、上記７個のＭＢＳＦＮサブフレームがＰＭＣＨ１に割り当てられ、上記４個のＭＢＳＦＮサブフレームがＰＭＣＨ２に割り当てられる。また、上記グループＭＢＳＦＮサブフレーム全体にＰＭＣＨ３が配置される。換言すると、上記グループＭＢＳＦＮサブフレーム全てがＰＭＣＨ３に割り当てられる。ＰＭＣＨ１及びＰＭＣＨ２は、通常のＰＭＣＨ（全ての端末装置用のＰＭＣＨ）であり、ＰＭＣＨ３は、上記特定の端末グループ用のＰＭＣＨであると言える。
【００６９】
−−ＭＴＣＨ
例えば、上記マルチキャストチャネルは、ＭＴＣＨである。即ち、決定部１３１は、ＭＢＳＦＮサブフレームにおける各ＭＴＣＨの配置を決定する。換言すると、決定部１３１は、ＭＢＳＦＮサブフレームを各ＭＴＣＨに割り当てる。
【００７０】
具体的には、例えば、決定部１３１は、上記グループＭＢＳＦＮサブフレームにおけるＭＴＣＨの配置を決定する。また、例えば、決定部１３１は、上記通常のＭＢＳＦＮサブフレームにおけるＭＴＣＨの配置を決定する。以下、この点について図１７を参照して具体例を説明する。
【００７１】
図１７は、ＭＢＳＦＮサブフレームにおけるＭＴＣＨの配置の例を説明するための説明図である。図１７を参照すると、図１５及び図１６を参照して説明した２０個のＭＢＳＦＮサブフレームの４つのセットが示されている。即ち、４つのＣＳＡ期間（即ち、ＣＳＡ期間１〜４）にわたる８０個のＭＢＳＦＮサブフレームが示されている。また、図１６を参照して説明したように、通常のＭＢＳＦＮサブフレームにＰＭＣＨ１及びＰＭＣＨ２が配置され、グループＭＢＳＦＮサブフレームにＰＭＣＨ３が配置される。また、ＰＭＣＨ１には、論理チャネル１及び２（即ち、ＭＴＣＨ１及び２）がマッピングされ、ＰＭＣＨ２には、論理チャネル３（即ち、ＭＴＣＨ３）がマッピングされる。また、特定の端末グループ用のＰＭＣＨであるＰＭＣＨ３には、論理チャネル４及び５（即ち、ＭＴＣＨ４及び５）がマッピングされる。ＰＭＣＨ３に注目すると、ＰＭＣＨ３のＭＳＰは６４無線フレームであり、ＰＭＣＨ３では２つのＣＳＡ期間（６４無線フレーム）ごとにＭＳＩが送信される。ＣＳＡ期間１及び２では、ＰＭＣＨ３が配置されるグループＭＢＳＦＮサブフレームのうちの１番目のサブフレームから６番目までのサブフレームに、論理チャネル４が配置され、上記グループＭＢＳＦＮサブフレームのうちの７番目から１５番目のサブフレームに、論理チャネル５が配置される。即ち、１番目のサブフレームから６番目までのサブフレームが論理チャネル４に割り当てられ、７番目から１５番目のサブフレームが論理チャネル５に割り当てられる。なお、１６番目のサブフレームから１８番目のサブフレームには、いずれの論理チャネル（ＭＴＣＨ）も配置されない。ＣＳＡ期間３及び４では、ＰＭＣＨ３が配置されるグループＭＢＳＦＮサブフレームのうちの１番目のサブフレームから７番目までのサブフレームに、論理チャネル４が配置され、上記グループＭＢＳＦＮサブフレームのうちの８番目から１２番目のサブフレームに、論理チャネル５が配置される。即ち、１番目のサブフレームから７番目までのサブフレームが論理チャネル４に割り当てられ、８番目から１２番目のサブフレームが論理チャネル５に割り当てられる。なお、１３番目のサブフレームから１８番目のサブフレームは、いずれの論理チャネル（ＭＴＣＨ）も配置されない。
【００７２】
−−ＭＣＣＨ
例えば、上記マルチキャストチャネルは、ＭＣＣＨである。即ち、決定部１３１は、ＭＢＳＦＮサブフレームにおける各ＭＣＣＨの配置を決定する。
【００７３】
具体的には、例えば、決定部１３１は、上記グループＭＢＳＦＮサブフレームにおけるＭＣＣＨの配置を決定する。また、例えば、決定部１３１は、上記通常のＭＢＳＦＮサブフレームにおけるＭＣＣＨの配置を決定する。
【００７４】
（通知部１３３）
−ＭＢＳＦＮサブフレームの通知
通知部１３３は、例えば、ＭＢＳＦＮサブフレームをスモール基地局２００−１に通知する。例えば、通知部１３３は、上記グループＭＢＳＦＮサブフレームをスモール基地局２００−１に通知する。また、例えば、通知部１３３は、上記通常のＭＢＳＦＮサブフレームをスモール基地局２００−１に通知する。
【００７５】
具体的には、例えば、通知部１３３は、スモール基地局２００−１へ送信されるＭＢＭＳスケジューリング情報メッセージの中で、ＭＢＳＦＮサブフレームをスモール基地局２００−１に通知する。例えば、上記ＭＢＭＳスケジューリング情報メッセージは、無線フレーム割当て期間、無線フレーム割当てオフセット及びサブフレーム割当てと、ＣＳＡ期間とを含む。これにより、ＣＳＡ期間内のＭＢＳＦＮサブフレームが示される。さらに、例えば、上記ＭＢＭＳスケジューリング情報メッセージは、上記ＭＢＳＦＮサブフレームに含まれる通常のＭＢＳＦＮサブフレームとグループＭＢＳＦＮサブフレームとを区別するための情報をさらに含む。
【００７６】
なお、ＭＢＭＳスケジューリング情報メッセージは、グループＭＢＳＦＮサブフレームのための情報（無線フレーム割当て期間、無線フレーム割当てオフセット及びサブフレーム割当て、並びにＣＳＡ期間）と、通常のＭＢＳＦＮサブフレームのための情報とを、別々に含んでもよい。
【００７７】
−ＭＢＳＦＮサブフレームにおけるマルチキャストチャネルの配置の通知
通知部１３３は、例えば、ＭＢＳＦＮサブフレームにおけるマルチキャストチャネルの配置をスモール基地局２００−１に通知する。
【００７８】
例えば、通知部１３３は、上記グループＭＢＳＦＮサブフレームにおけるマルチキャストチャネルの配置をスモール基地局２００−１に通知する。また、例えば、通知部１３３は、記通常のＭＢＳＦＮサブフレームにおけるマルチキャストチャネルの配置をスモール基地局２００−１に通知する。
【００７９】
−−ＰＭＣＨの配置の通知
例えば、通知部１３３は、ＭＢＳＦＮサブフレームにおけるＰＭＣＨの配置をスモール基地局２００−１に通知する。より具体的には、例えば、通知部１３３は、スモール基地局２００−１へ送信されるＭＢＭＳスケジューリング情報メッセージの中で、ＰＭＣＨの上記配置をスモール基地局２００−１に通知する。例えば、上記ＭＢＭＳスケジューリング情報メッセージは、ＰＭＣＨごとに、ＰＭＣＨが配置されるサブフレームのうちの最後のサブフレームを示す情報を含む。
【００８０】
なお、通知部１３３は、例えば、上記ＭＢＭＳスケジューリング情報メッセージの中で、各ＰＭＣＨのＭＳＰをスモール基地局２００−１にさらに通知する。例えば、上記ＭＢＭＳスケジューリング情報メッセージは、ＰＭＣＨごとのＭＳＰを含む。
【００８１】
−−ＭＴＣＨの配置の通知
例えば、通知部１３３は、ＭＢＳＦＮサブフレームにおけるＭＴＣＨの配置をスモール基地局２００−１に通知する。例えば、通知部１３３は、ＭＴＣＨがマッピングされるＰＭＣＨと、当該ＰＭＣＨのＭＢＳＦＮサブフレームのうちの当該ＭＴＣＨが配置されるＭＢＳＦＮサブフレームとを、スモール基地局２００−１に通知する。
【００８２】
具体的には、例えば、通知部１３３は、上記ＭＢＭＳスケジューリング情報メッセージの中で、ＭＴＣＨがマッピングされるＰＭＣＨをスモール基地局２００−１に通知する。例えば、上記ＭＢＭＳスケジューリング情報メッセージは、ＰＭＣＨと関連付けられるＭＴＣＨの識別情報（論理チャネルＩＤ）を含む。
【００８３】
また、例えば、通知部１３３は、上記ＭＢＭＳスケジューリング情報メッセージ又は別のメッセージの中で、ＰＭＣＨにマッピングされる各ＭＴＣＨが配置されるＭＢＳＦＮサブフレームを通知する。例えば、上記ＭＢＭＳスケジューリング情報メッセージ又は上記別のメッセージは、ＭＴＣＨが配置されるサブフレームのうちの最後のサブフレームを示す情報を含む。
【００８４】
−−ＭＣＣＨの配置の通知
例えば、通知部１３３は、ＭＢＳＦＮサブフレームにおけるＭＣＣＨの配置をスモール基地局２００−１に通知する。例えば、通知部１３３は、上記グループＭＢＳＦＮサブフレームにおけるＭＣＣＨの配置（即ち、上記特定の端末グループ用のＭＣＣＨの配置）をスモール基地局２００−１に通知する。また、例えば、通知部１３３は、上記通常のＭＢＳＦＮサブフレームにおけるＭＣＣＨの配置（即ち、通常のＭＣＣＨの配置）をスモール基地局２００−１に通知する。
【００８５】
より具体的には、例えば、通知部１３３は、スモール基地局２００−１へ送信されるＭＢＭＳスケジューリング情報メッセージ又は別のメッセージの中で、上記特定の端末グループ用のＭＣＣＨの配置及び通常のＭＣＣＨの配置をスモール基地局２００−１に通知する。例えば、上記ＭＢＭＳスケジューリング情報メッセージ又は上記別のメッセージは、特定の端末グループ用のＭＣＣＨ及び通常のＭＣＣＨの各々について、ＭＣＣＨ反復期間、ＭＣＣＨオフセット及びサブフレーム割当て情報を含む。
【００８６】
以上のように、通知部１３３は、ＭＢＳＦＮサブフレーム及び／又は当該ＭＢＳＦＮサブフレームに配置されるマルチキャストチャネルをスモール基地局２００−１に通知する。なお、当然ながら、通知部１３３は、これらの情報に限らず他の情報をスモール基地局２００−１に通知し得る。
【００８７】
＜３．２．スモール基地局の構成＞
次に、図１８〜図２２を参照して、第１の実施形態に係るスモール基地局２００−１の構成を説明する。図１８は、第１の実施形態に係るスモール基地局２００−１の構成の一例を示すブロック図である。図１８を参照すると、スモール基地局２００−１は、アンテナ部２１０、無線通信部２２０、ネットワーク通信部２３０、記憶部２４０及び処理部２５０を備える。
【００８８】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【００８９】
（無線通信部２２０）
無線通信部２２０は、無線通信を行う。例えば、無線通信部２２０は、スモールセル２０内に位置する端末装置へのダウンリンク信号を送信し、スモールセル２０内に位置する端末装置からのアップリンク信号を受信する。
【００９０】
（ネットワーク通信部２３０）
ネットワーク通信部２３０は、他のノードと通信する。例えば、ネットワーク通信部２３０は、制御装置１００−１と通信する。また、例えば、ネットワーク通信部２３０は、他のスモール基地局２００−１と通信する。また、例えば、ネットワーク通信部２３０は、コアネットワーク４０内に位置するコアネットワークノード、及び／又はマクロ基地局１１と通信する。なお、ネットワーク通信部２３０は、インターネット５０を介して他のノードと通信する。
【００９１】
（記憶部２４０）
記憶部２４０は、スモール基地局２００−１の動作のためのプログラム及びデータを一時的にまたは恒久的に記憶する。
【００９２】
（処理部２５０）
処理部２５０は、スモール基地局２００−１の様々な機能を提供する。処理部２５０は、情報取得部２５１及び通信制御部２５３を含む。
【００９３】
（情報取得部２５１）
−グループＭＣＣＨ構成情報の取得
情報取得部２５１は、特定の端末グループ用のＭＢＳＦＮサブフレーム（即ち、グループＭＢＳＦＮサブフレーム）に配置されるマルチキャストチャネルの構成を示すチャネル構成情報を取得する。上述したように、上記特定の端末グループは、例えばＣＳＧである。
【００９４】
とりわけ第１の実施形態では、上記マルチキャストチャネルは、ＭＣＣＨである。即ち、情報取得部２５１は、グループＭＢＳＦＮサブフレームに配置されるＭＣＣＨの構成を示すチャネル構成情報（以下、「グループＭＣＣＨ構成情報」と呼ぶ）を取得する。
【００９５】
なお、上記マルチキャストチャネル（ＭＣＣＨ）は、グループＭＢＳＦＮサブフレームに配置されるので、特定の端末グループ用のマルチキャストチャネル（ＭＣＣＨ）であると言える。
【００９６】
−−具体的な内容
例えば、上記グループＭＣＣＨ構成情報は、上記マルチキャストチャネル（即ち、ＭＣＣＨ）が配置されるサブフレームを示す情報を含む。より具体的には、例えば、上記グループＭＣＣＨ構成情報は、ＭＣＣＨ反復期間、ＭＣＣＨオフセット及びサブフレーム割当て情報を含む。
【００９７】
さらに、例えば、上記グループＭＣＣＨ構成情報は、例えば、ＭＣＣＨ変更期間（MCCH  Modification  Period）及び／又はシグナリングＭＣＳ（Modulation  and  Coding  Scheme）を含む。
【００９８】
なお、上記グループＭＣＣＨ構成情報は、ＭＢＳＦＮエリアＩＤ、非ＭＢＳＦＮ領域長（Non-MBSFN  Region  Length）をさらに含んでもよい。また、上記グループＭＣＣＨ構成情報は、ＭＣＣＨの情報の変更の通知に関する情報をさらに含んでもよい。
【００９９】
このように、上記ＭＣＣＨ構成情報は、一般的にはＳＩＢ１３に含まれている情報のうちの一部又は全部を含む。
【０１００】
−グループＰＭＣＨ構成情報の取得
例えば、情報取得部２５１は、上記グループＭＢＳＦＮサブフレームに配置されるＰＭＣＨの構成を示すグループＰＭＣＨ構成情報をさらに取得する。上述したように、上記特定の端末グループは、例えばＣＳＧである。
【０１０１】
なお、上記ＰＭＣＨは、グループＭＢＳＦＮサブフレームに配置されるので、特定の端末グループ用のＰＭＣＨであると言える。
【０１０２】
−−具体的な内容
例えば、上記グループＰＭＣＨ構成情報は、ＭＢＳＦＮエリアコンフィギュレーションメッセージである。
【０１０３】
より具体的には、例えば、上記グループＰＭＣＨ構成情報は、共通サブフレーム割当て（ＣＳＡ）パターンリスト及びＣＳＡ期間を含む。一例として、上記ＣＳＡパターンリスト及び上記ＣＳＡ期間は、通常のＭＢＳＦＮサブフレーム及びグループＭＢＳＦＮサブフレームを含むＭＢＳＦＮサブフレームを示す。この場合に、例えば、上記グループＰＭＣＨ構成情報は、上記ＣＳＡパターンリスト及び上記ＣＳＡ期間により示されるＭＢＳＦＮサブフレームに含まれる通常のＭＢＳＦＮサブフレームとグループＭＢＳＦＮサブフレームとを区別するための情報をさらに含む。別の例として、上記ＣＳＡパターンリスト及び上記ＣＳＡ期間は、グループＭＢＳＦＮサブフレームを示してもよい。
【０１０４】
また、例えば、上記グループＰＭＣＨ構成情報は、ＰＭＣＨ情報リストを含む。当該ＰＭＣＨ情報リストは、例えば、上記特定の端末グループ用の各ＰＭＣＨが配置されるグループＭＢＳＦＮサブフレームを示す。即ち、当該ＰＭＣＨ情報リストは、例えば、各ＰＭＣＨのサブフレーム割当て終了（Subframe  Allocation  End）を含む。さらに、上記ＰＭＣＨ情報リストは、例えば、各ＰＭＣＨのＭＣＨスケジューリング期間（ＭＳＰ）も含む。また、上記ＰＭＣＨ情報リストは、例えば、上記特定の端末グループ用の各ＰＭＣＨにマッピングされる１つ以上のＭＴＣＨ（即ち、上記特定の端末グループ用の１つ以上のＭＴＣＨ）を示す。即ち、上記ＰＭＣＨ情報リストは、例えば、ＭＢＭＳセッション情報リストを含み、当該ＭＢＭＳセッション情報リストは、ＴＭＧＩ（Temporary  Mobile  Group  Identify）、セッションＩＤ及び論理チャネルＩＤを含む。
【０１０５】
−通常ＭＣＣＨ構成情報の取得
例えば、情報取得部２５１は、通常のＭＢＳＦＮサブフレームに配置されるＭＣＣＨの構成を示す通常ＭＣＣＨ構成情報をさらに取得する。
【０１０６】
−−具体的な内容
上記通常ＭＣＣＨ構成情報は、例えば、上記グループＭＣＣＨ構成情報に含まれる情報項目（ＭＣＣＨ反復期間、ＭＣＣＨオフセット及びサブフレーム割当て情報など）と同一の情報項目を含む。
【０１０７】
より具体的には、上記通常ＭＣＣＨ構成情報は、システム情報ブロック（例えば、ＳＩＢ）に含まれる情報である。この場合に、情報取得部２５１は、上記通常ＭＣＣＨ構成情報を含む上記システム情報ブロックを取得する。
【０１０８】
−通常ＰＭＣＨ構成情報の取得
例えば、情報取得部２５１は、通常のＭＢＳＦＮサブフレームに配置されるＰＭＣＨの構成を示す通常ＰＭＣＨ構成情報をさらに取得する。
【０１０９】
−−具体的な内容
例えば、上記通常ＰＭＣＨ構成情報は、ＭＢＳＦＮエリアコンフィギュレーションメッセージである。
【０１１０】
より具体的には、例えば、上記通常ＰＭＣＨ構成情報は、共通サブフレーム割当て（ＣＳＡ）パターンリスト及びＣＳＡ期間を含む。一例として、上記ＣＳＡパターンリスト及び上記ＣＳＡ期間は、通常のＭＢＳＦＮサブフレーム及びグループＭＢＳＦＮサブフレームを含むＭＢＳＦＮサブフレームを示す。この場合に、例えば、上記通常ＰＭＣＨ構成情報は、上記ＣＳＡパターンリスト及び上記ＣＳＡ期間により示されるＭＢＳＦＮサブフレームに含まれる通常のＭＢＳＦＮサブフレームとグループＭＢＳＦＮサブフレームとを区別するための情報をさらに含む。別の例として、上記ＣＳＡパターンリスト及び上記ＣＳＡ期間は、通常のＭＢＳＦＮサブフレームを示してもよい。
【０１１１】
また、例えば、上記通常ＰＭＣＨ構成情報は、ＰＭＣＨ情報リストを含む。当該ＰＭＣＨ情報リストは、例えば、各ＰＭＣＨが配置される通常のＭＢＳＦＮサブフレーム、及び各ＰＭＣＨにマッピングされる１つ以上のＭＴＣＨを示す。
【０１１２】
（通信制御部２５３）
−グループＭＣＣＨ構成情報の通知
通信制御部２５３は、上記グループＭＢＳＦＮサブフレームに配置されるマルチキャストチャネルの構成を示す上記チャネル構成情報を、上記特定の端末グループに通知する。とりわけ第１の実施形態では、上記チャネル構成情報は、上記グループＭＣＣＨ構成情報であり、通信制御部２５３は、上記グループＭＣＣＨ構成情報を上記特定の端末グループに通知する。
【０１１３】
−−特定の端末グループ用の識別情報の使用による通知
例えば、通信制御部２５３は、上記特定の端末グループ用の識別情報を使用して、上記グループＭＣＣＨ構成情報を上記特定の端末グループに通知する。
【０１１４】
より具体的には、例えば、上記特定の端末グループ用の上記識別情報は、上記特定の端末グループ用のＲＮＴＩ（Radio  Network  Temporary  Identifier）（以下、「グループＲＮＴＩ」と呼ぶ）である。これにより、例えば、上記特定の端末グループに属する端末装置のみに、上記グループＭＣＣＨ構成情報を通知することが可能になる。
【０１１５】
また、例えば、通信制御部２５３は、上記特定の端末グループに属する端末装置に上記識別情報を通知する。これにより、例えば、上記特定の端末グループに属する端末装置が、上記グループＭＣＣＨ構成情報を実際に取得することが可能になる。
【０１１６】
−−具体的な通知の手法
例えば、通信制御部２５３は、上記グループＲＮＴＩを使用して、ＰＤＣＣＨ上で送信されるＤＣＩを通じて、上記グループＭＣＣＨ構成情報を上記特定の端末グループに通知する。これにより、例えば、グループＭＣＣＨ構成情報を必要に応じて迅速に上記特定の端末グループに通知することが可能になる。なお、上記ＰＤＣＣＨは、通常のＰＤＣＣＨであってもよく、又はｅＰＤＣＣＨ（enhanced  Physical  Downlink  Control  Channel）であってもよい。
【０１１７】
−−−第１の例
第１の例として、通信制御部２５３は、上記グループＲＮＴＩを使用して、ＰＤＣＣＨ上で送信されるＤＣＩの中で上記グループＭＣＣＨ構成情報を上記特定の端末グループに通知する。
【０１１８】
より具体的には、例えば、通信制御部２５３は、グループＲＮＴＩによりスクランブリングされたＣＲＣ（Cyclic  Redundancy  Check）ビットとグループＭＣＣＨ構成情報とを含むＤＣＩ（即ち、特定の端末グループ用のＤＣＩ）を生成する。そして、通信制御部２５３は、当該ＤＣＩをＰＤＣＣＨの無線リソースにマッピングする。その結果、当該ＤＣＩがＰＤＣＣＨ上で送信される。これにより、上記特定の端末グループに属する端末装置は、グループＲＮＴＩを使用してグループＭＣＣＨ構成情報を取得することができる。また、とりわけこの手法によれば、例えば、端末装置は、ＤＣＩのみからグループＭＣＣＨ構成情報を取得することができるので、端末装置にとっての負担を小さくすることが可能になる。以下、図１９及び図２０を参照して具体例を説明する。
【０１１９】
図１９は、ＤＣＩの中でのグループＭＣＣＨ構成情報の通知の一例を説明するための説明図である。図１９を参照すると、非ＭＢＳＦＮサブフレームの無線リソースが示されている。例えば、ＰＤＣＣＨなどが配置されるＰＤＣＣＨ領域（例えば、３ＯＦＤＭシンボル又は２ＯＦＤＭシンボルの領域）内のＰＤＣＣＨ上で、上記ＣＲＣビットと上記グループＭＣＣＨ構成情報とを含むＤＣＩ（特定の端末グループ用のＤＣＩ）が送信される。
【０１２０】
図２０は、ＤＣＩの中でのグループＭＣＣＨ構成情報の通知の別の例を説明するための説明図である。図２０を参照すると、ＭＢＳＦＮサブフレームの無線リソースが示されている。例えば、非ＭＢＳＦＮ領域内のＰＤＣＣＨ上で、上記ＣＲＣビットと上記グループＭＣＣＨ構成情報とを含むＤＣＩ（特定の端末グループ用のＤＣＩ）が送信される。
【０１２１】
−−−第２の例
第２の例として、通信制御部２５３は、上記グループＲＮＴＩを使用して、ＰＤＣＣＨ上で送信されるＤＣＩの中で、上記グループＭＣＣＨ構成情報が送信される無線リソースを示すリソース割当て情報を上記特定の端末グループに通知することにより、上記グループＭＣＣＨ構成情報を上記特定の端末グループに通知する。
【０１２２】
より具体的には、例えば、通信制御部２５３は、グループＲＮＴＩによりスクランブリングされたＣＲＣビットと、グループＭＣＣＨ構成情報が送信される無線リソースを示すリソース割当て情報とを含む、ＤＣＩ（即ち、特定の端末グループ用のＤＣＩ）を生成する。そして、通信制御部２５３は、当該ＤＣＩを、非ＭＢＳＦＮサブフレーム内のＰＤＣＣＨの無線リソースにマッピングする。これにより、上記特定の端末グループに属する端末装置は、グループＲＮＴＩを使用して、グループＭＣＣＨ構成情報が送信される無線リソース（即ち、ＰＤＳＣＨの無線リソース）を特定することができる。よって、当該端末装置は、上記無線リソースで送信されるグループＭＣＣＨ構成情報を取得することができる。また、とりわけこの手法によれば、例えば、ＤＣＩのビット数が大きくなることを避けることが可能になる。また、この手法によれば、例えば、大きいサイズのグループＭＣＣＨ構成情報を送信することが可能になる。なお、通信制御部２５３は、例えば、グループＭＣＣＨ構成情報を、上記リソース割当て情報により示される上記無線リソース（ＰＤＳＣＨの無線リソース）にマッピングする。これにより、上記グループＭＣＣＨ構成情報が上記無線リソースで実際に送信される。以下、図２１を参照して具体例を説明する。
【０１２３】
図２１は、割り当てられた無線リソースでのグループＭＣＣＨ構成情報の通知の例を説明するための説明図である。図２１を参照すると、非ＭＢＳＦＮサブフレームの無線リソースが示されている。例えば、ＰＤＣＣＨなどが配置されるＰＤＣＣＨ領域（例えば、３ＯＦＤＭシンボル又は２ＯＦＤＭシンボルの領域）内のＰＤＣＣＨ上で、上記ＣＲＣビットと上記リソース割当て情報とを含むＤＣＩ（特定の端末グループ用のＤＣＩ）が送信される。また、当該リソース割当て情報により示される無線リソース（ＰＤＳＣＨの無線リソース）で、グループＭＣＣＨ構成情報が送信される。
【０１２４】
例えば以上のような通知の手法により、上記特定の端末グループは、上記グループＭＣＣＨ構成情報を通知される。なお、特定の端末グループに暗号鍵を提供し、当該特定の端末グループにマルチキャストされるデータを上記暗号鍵により暗号化することによっても、特定の端末グループへのマルチキャストは実現され得る。しかし、このような手法によれば、上記特定の端末グループに属さない端末装置も、暗号化されたデータの受信を試みてしまうので、当該端末装置の電力が浪費され、また当該端末装置にとってのサービス品質が低下し得る。そのため、上述したような通知の手法によれば、特定の端末グループに属さない端末装置の電力の浪費、及び／又は当該端末装置にとってのサービス品質の低下などが、回避され得る。
【０１２５】
−−通知のタイミング
第１に、例えば、通信制御部２５３は、ＭＣＣＨの情報が変更されるときに、上記グループＭＣＣＨ構成情報を上記特定の端末グループに通知する。これにより、例えば、端末装置は、同一のグループＭＣＣＨ構成情報及びＭＣＣＨの同一の情報を繰り返し取得しないので、端末装置の負担を軽減することができる。
【０１２６】
第２に、例えば、通信制御部２５３は、上記特定の端末グループに属する端末装置がＭＢＳＦＮエリア３０において接続されるときに、上記グループＭＣＣＨ構成情報を当該端末装置に通知する。より具体的には、例えば、上記ＭＢＳＦＮエリア外のセルから上記ＭＢＳＦＮエリア内のセルへの上記端末装置のハンドオーバが行われるときに、通信制御部２５３は、上記グループＭＣＣＨ構成情報を上記端末装置に通知する。また、例えば、上記ＭＢＳＦＮエリア内のセル内で、上記端末装置のモードがＲＲＣアイドルモードからＲＲＣ接続モードへ遷移するときに、通信制御部２５３は、上記グループＭＣＣＨ構成情報を上記端末装置に通知する。これにより、例えば、上記グループＭＣＣＨ構成情報が上記特定の端末グループに繰り返し通知されない場合でも、上記特定の端末グループに属する端末装置は、ＭＢＳＦＮエリア３０において接続されるときに、上記グループＭＣＣＨ構成情報を迅速に取得することが可能になる。
【０１２７】
なお、通信制御部２５３は、上記端末装置が上記ＭＢＳＦＮエリアにおいて接続されるときには、上記端末装置用の識別情報を使用して、上記グループＭＣＣＨ構成情報を当該端末装置に通知してもよい。当該識別情報は、例えば、Ｃ−ＲＮＴＩ（Cell  RNTI）であってもよい。これにより、例えば、ＭＢＳＦＮエリアにおいて接続される端末装置のみへの通知が行われるので、上記特定の端末グループに属する他の端末装置の負担を軽減することが可能になる。
【０１２８】
以上のように、通信制御部２５３は、上記グループＭＣＣＨ構成情報を上記特定の端末グループに通知する。これにより、例えば、上記特定の端末グループに属する端末装置が上記特定の端末グループ用のＭＣＣＨの情報を取得することが可能になる。そのため、当該端末装置は、上記特定の端末グループ用のＰＭＣＨと、当該ＰＭＣＨにマッピングされるＭＴＣＨ（即ち、上記特定の端末グループ用のＭＴＣＨ）とを特定し得る。即ち、上記特定の端末グループへのマルチキャストが行われ得る。
【０１２９】
なお、通信制御部２５３は、例えば、システム情報ブロック（例えば、ＳＩＢ１３）の中で上記グループＭＣＣＨ構成情報を報知しない。これにより、例えば、上記特定の端末グループに属さない端末装置は上記グループＭＣＣＨ構成情報を取得しない。そのため、上記特定の端末グループのみへのマルチキャストが行われ得る。
【０１３０】
−グループＰＭＣＨ構成情報の通知
例えば、通信制御部２５３は、上記グループＭＢＳＦＮサブフレームに配置されるＰＭＣＨの構成を示す上記グループＰＭＣＨ構成情報を、上記特定の端末グループに通知する。
【０１３１】
例えば、通信制御部２５３は、上記グループＭＢＳＦＮサブフレームに配置されるＭＣＣＨ（即ち、上記特定の端末グループ用のＭＣＣＨ）上で、上記グループＰＭＣＨ構成情報を上記特定の端末グループに通知する。
【０１３２】
−通常ＭＣＣＨ構成情報の通知
例えば、通信制御部２５３は、上記通常のＭＢＳＦＮサブフレームに配置されるＭＣＣＨの構成を示す上記通常ＭＣＣＨ構成情報を、端末装置に通知する。例えば、通信制御部２５３は、上記通常ＭＣＣＨ構成情報を含むシステム情報ブロック（例えば、ＳＩＢ１３）を報知する。
【０１３３】
−通常ＰＭＣＨ構成情報の通知
例えば、通信制御部２５３は、上記通常のＭＢＳＦＮサブフレームに配置されるＰＭＣＨの構成を示す上記通常ＰＭＣＨ構成情報を、端末装置に通知する。例えば、通信制御部２５３は、上記通常のＭＢＳＦＮサブフレームに配置されるＭＣＣＨ上で、上記通常ＰＭＣＨ構成情報を通知する。
【０１３４】
−ＭＢＳＦＮサブフレームの通知
例えば、通信制御部２５３は、ＭＢＳＦＮサブフレームを端末装置に通知する。
【０１３５】
例えば、通信制御部２５３は、通常のＭＢＳＦＮサブフレーム及びグループＭＢＳＦＮサブフレームを含むＭＢＳＦＮサブフレームのための無線フレーム割当て期間、無線フレーム割当てオフセット及びサブフレーム割当てを、端末装置に通知する。より具体的には、例えば、通信制御部２５３は、これらの情報を含むＳＩＢ２を報知する。
【０１３６】
これにより、例えば、端末装置は、上記特定の端末グループに属するか否かによらず、全てのＭＢＳＦＮのサブフレームを知ることができる。そのため、端末装置は、ＣＲＳの測定の対象とすべきサブフレームを知り得る。よって、ＣＲＳの測定が適切に行われ得る。
【０１３７】
（その他：ＭＢＳＦＮ領域）
スモール基地局２００−１は、ＭＢＳＮＦエリア３０のＭＢＭＳサブフレームのフォーマットとして、いくつかの種類のフォーマットのうちのいずれかのフォーマットを使用し得る。
【０１３８】
第１の例として、ＭＢＳＮＦエリア３０のＭＢＭＳサブフレームは、図４に示されるように、時間方向において１２個のＯＦＤＭシンボルを含み、非ＭＢＭＳ領域は、当該１２個のＯＦＤＭシンボルのうちの最初の２つのＯＦＤＭシンボルにわたる領域であってもよい。
【０１３９】
第２の例として、ＭＢＳＮＦエリア３０のＭＢＭＳサブフレームは、時間方向において１４個のＯＦＤＭシンボルを含んでもよい。ＭＢＳＮＦエリア３０がスモールセルにより構成されることを考慮すると、サイクリックプレフィクス（ＣＰ）は短くてもよい場合もあるためである。そして、非ＭＢＭＳ領域は、上記１４個のＯＦＤＭシンボルのうちの最初の３つのＯＦＤＭシンボルにわたる領域であってもよい。以下、図２２を参照して、当該ＭＢＳＦＮサブフレームを説明する。
【０１４０】
図２２は、ＭＢＭＳサブフレームの例を説明するための説明図である。図２２を参照すると、ＭＢＳＦＮサブフレーム内で時間方向に並ぶ２つのリソースブロック（ＲＢ）が示されている。この例では、ＭＢＳＦＮサブフレームは、時間方向において１４個のＯＦＤＭシンボルを含む。また、ＭＢＳＦＮサブフレームは、１４のＯＦＤＭシンボルのうちの最初の３つのＯＦＤＭシンボルにわたる非ＭＢＳＦＮ領域と、その後に続くＭＢＳＦＮ領域とを含む。非ＭＢＳＦＮ領域では、ＣＲＳが送信され得る。一方、ＭＢＳＦＮ領域では、ＭＢＳＦＮエリアに属するセル間で共通のＭＢＳＦＮ−ＲＳが送信される。また、ＭＢＳＦＮ領域では、ＭＣＣＨにマッピングされる制御情報又はＭＴＣＨにマッピングされるデータが送信される。
【０１４１】
なお、当然ながら、ＭＢＳＮＦエリア３０のＭＢＭＳサブフレームのフォーマットとして、上述した第１の例及び第２の例に示されたＭＢＳＦＮサブフレームのフォーマット以外のフォーマットが使用されてもよい。
【０１４２】
＜３．３．端末装置の構成＞
次に、図２３を参照して、第１の実施形態に係る端末装置３００−１の構成を説明する。図２３は、第１の実施形態に係る端末装置３００−１の構成の一例を示すブロック図である。図２３を参照すると、端末装置３００−１は、アンテナ部３１０、無線通信部３２０、記憶部３３０及び処理部３４０を備える。
【０１４３】
（アンテナ部３１０）
アンテナ部３１０は、無線通信部３２０により出力される信号を電波として空間に放射する。また、アンテナ部３１０は、空間の電波を信号に変換し、当該信号を無線通信部３２０へ出力する。
【０１４４】
（無線通信部３２０）
無線通信部３２０は、無線通信を行う。例えば、無線通信部３２０は、端末装置３００−１がマクロセル１０内に位置する場合に、マクロ基地局１１からのダウンリンク信号を受信し、マクロ基地局１１へのアップリンク信号を送信する。また、例えば、無線通信部３２０は、端末装置３００−１がスモールセル２０内に位置する場合に、スモール基地局２００−１からのダウンリンク信号を受信し、スモール基地局２００−１へのアップリンク信号を送信する。
【０１４５】
（記憶部３３０）
記憶部３３は、端末装置３００−１の動作のためのプログラム及びデータを一時的にまたは恒久的に記憶する。
【０１４６】
（処理部３４０）
処理部３４０は、端末装置３００−１の様々な機能を提供する。処理部３４０は、情報取得部３４１及び通信制御部３４３を含む。
【０１４７】
（情報取得部３４１）
−特定の端末グループ用の識別情報の取得
情報取得部３４１は、特定の端末グループ用の識別情報を取得する。例えば、当該特定の端末グループ用の当該識別情報は、上記特定の端末グループ用のＲＮＴＩ（即ち、グループＲＮＴＩ）である。なお、上述したように、端末装置３００−１は、当該特定の端末グループに属する。
【０１４８】
具体的には、例えば、上記グループＲＮＴＩは、スモール基地局２００−１により端末装置３００−１に通知され、端末装置３００−１は、上記グループＲＮＴＩを記憶部３３０に記憶する。そして、情報取得部３４１は、記憶部３３０から上記グループＲＮＴＩを取得する。
【０１４９】
−端末装置３００−１用の識別情報の取得
例えば、情報取得部３４１は、端末装置３００−１用の識別情報を取得する。例えば、端末装置３００−１用の当該識別情報は、端末装置３００−１用のＣ−ＲＮＴＩである。
【０１５０】
具体的には、例えば、端末装置３００−１用のＣ−ＲＮＴＩは、スモール基地局２００−１により端末装置３００−１に通知され、端末装置３００−１は、上記Ｃ−ＲＮＴＩを記憶部３３０に記憶する。そして、情報取得部３４１は、記憶部３３０から上記Ｃ−ＲＮＴＩを取得する。
【０１５１】
（通信制御部３４３）
−グループＭＣＣＨ構成情報の取得
通信制御部３４３は、上記特定の端末グループ用の上記識別情報を使用して、上記特定の端末グループ用のＭＢＳＦＮサブフレーム（即ち、グループＭＢＳＦＮサブフレーム）に配置されるマルチキャストチャネルの構成を示すチャネル構成情報を取得する。上述したように、当該チャネル構成情報は、スモール基地局２００−１により上記特定の端末グループに通知される。
【０１５２】
とりわけ第１の実施形態では、上述したように、上記マルチキャストチャネルは、ＭＣＣＨであり、上記チャネル構成情報は、グループＭＢＳＦＮサブフレームに配置されるＭＣＣＨの構成を示すグループＭＣＣＨ構成情報である。即ち、通信制御部３４３は、上記特定の端末グループ用の上記識別情報（例えば、グループＲＮＴＩ）を使用して、上記グループＭＣＣＨ構成情報を取得する。
【０１５３】
−−具体的な通知の手法
例えば、スモール基地局２００−１は、上記グループＲＮＴＩを使用して、ＰＤＣＣＨ上で送信されるＤＣＩを通じて、上記グループＭＣＣＨ構成情報を上記特定の端末グループに通知する。この場合に、通信制御部３４３は、上記グループＲＮＴＩを使用して、ＰＤＣＣＨ上で送信されるＤＣＩを通じて、上記グループＭＣＣＨ構成情報を取得する。なお、上記ＰＤＣＣＨは、通常のＰＤＣＣＨであってもよく、又はｅＰＤＣＣＨであってもよい。
【０１５４】
−−−第１の例
第１の例として、スモール基地局２００−１は、上記グループＲＮＴＩを使用して、ＰＤＣＣＨ上で送信されるＤＣＩの中で上記グループＭＣＣＨ構成情報を上記特定の端末グループに通知する。この場合に、通信制御部３４３は、上記グループＲＮＴＩを使用して、上記ＤＣＩから上記グループＭＣＣＨ構成情報を取得する。
【０１５５】
より具体的には、例えば、通信制御部３４３は、グループＲＮＴＩを使用して、ＰＤＣＣＨで送信されるＤＣＩに含まれるＣＲＣビットのデスクランブリングを行う。その結果、ＣＲＣビットに誤りがなければ、当該ＤＣＩは、特定の端末グループ用のＤＣＩであり、グループＭＣＣＨ構成情報を含む。そのため、通信制御部３４３は、当該ＤＣＩからグループＭＣＣＨ構成情報を取得する。
【０１５６】
ＤＣＩが送信されるサブフレームは、例えば図１９に示されるような非ＭＢＳＦＮサブフレームであってもよく、例えば図２０に示されるようなＭＢＳＦＮサブフレームであってもよい。
【０１５７】
−−−第２の例
第２の例として、スモール基地局２００−１は、上記グループＲＮＴＩを使用して、ＰＤＣＣＨ上で送信されるＤＣＩの中で、上記グループＭＣＣＨ構成情報が送信される無線リソースを示すリソース割当て情報を上記特定の端末グループに通知する。この場合に、通信制御部３４３は、上記グループＲＮＴＩを使用して、上記ＤＣＩから上記リソース割当て情報を取得し、上記無線リソースで送信される上記グループＭＣＣＨ構成情報を取得する。
【０１５８】
より具体的には、例えば、通信制御部３４３は、グループＲＮＴＩを使用して、ＰＤＣＣＨで送信されるＤＣＩに含まれるＣＲＣビットのデスクランブリングを行う。その結果、ＣＲＣビットに誤りがなければ、当該ＤＣＩは、特定の端末グループ用のＤＣＩであり、グループＭＣＣＨ構成情報が送信される無線リソースを示すリソース割当て情報を含む。そのため、通信制御部３４３は、当該ＤＣＩから当該リソース割当て情報を取得し、当該リソース割当て情報により示される無線リソースで送信されるグループＭＣＣＨ構成情報を取得する。
【０１５９】
ＤＣＩが送信されるサブフレームは、例えば図２１に示されるような非ＭＢＳＦＮサブフレームである。
【０１６０】
以上のように、通信制御部３４３は、上記グループＲＮＴＩを使用して、上記グループＭＣＣＨ構成情報を取得する。これにより、例えば、端末装置３００−１は、上記特定の端末グループ用のＭＣＣＨを特定し、当該ＭＣＣＨの情報から、上記特定の端末グループ用のＰＭＣＨと、当該ＰＭＣＨ上にマッピングされるＭＴＣＨ（即ち、特定の端末グループ用のＭＴＣＨ）を特定することが可能になる。そのため、端末装置３００−１は、特定の端末グループにマルチキャストされるＭＢＭＳセッションを取得することができる。
【０１６１】
なお、スモール基地局２００−１は、端末装置３００−１がＭＢＳＦＮエリア３０において接続されるときに、端末装置３００−１用のＣ−ＲＮＴＩを使用して、上記グループＭＣＣＨ構成情報を端末装置３００−１に通知してもよい。この場合に、通信制御部３４３は、端末装置３００−１用のＣ−ＲＮＴＩを使用して、上記グループＭＣＣＨ構成情報を取得してもよい。
【０１６２】
−グループＰＭＣＨ構成情報の取得
例えば、通信制御部３４３は、上記グループＭＢＳＦＮサブフレームに配置されるＰＭＣＨの構成を示すグループＰＭＣＨ構成情報をさらに取得する。上述したように、当該グループＰＭＣＨ構成情報は、スモール基地局２００−１により上記特定の端末グループに通知される。
【０１６３】
例えば、スモール基地局２００−１は、上記グループＭＢＳＦＮサブフレームに配置されるＭＣＣＨ（即ち、上記特定の端末グループ用のＭＣＣＨ）上で、上記グループＰＭＣＨ構成情報を上記特定の端末グループに通知する。この場合に、通信制御部３４３は、上記グループＭＣＣＨ構成情報から、ＭＣＣＨが配置されるグループＭＢＳＦＮサブフレームを特定し、当該グループＭＢＳＦＮサブフレームに配置されるＭＣＣＨから、上記グループＰＭＣＨ構成情報を取得する。
【０１６４】
−通常ＭＣＣＨ構成情報の取得
例えば、通信制御部３４３は、上記通常のＭＢＳＦＮサブフレームに配置されるＭＣＣＨの構成を示す通常ＭＣＣＨ構成情報をさらに取得する。上述したように、当該通常ＭＣＣＨ構成情報は、スモール基地局２００−１により端末装置に通知される。
【０１６５】
例えば、スモール基地局２００−１は、上記通常ＭＣＣＨ構成情報を含むシステム情報ブロック（例えば、ＳＩＢ１３）を報知する。すると、通信制御部３４３は、当該システム情報ブロックから、上記通常ＭＣＣＨ構成情報を取得する。
【０１６６】
−通常ＰＭＣＨ構成情報の取得
例えば、通信制御部３４３は、上記通常のＭＢＳＦＮサブフレームに配置されるＰＭＣＨの構成を示す通常ＰＭＣＨ構成情報をさらに取得する。上述したように、当該通常ＰＭＣＨ構成情報は、スモール基地局２００−１により端末装置に通知される。
【０１６７】
例えば、スモール基地局２００−１は、上記通常のＭＢＳＦＮサブフレームに配置されるＭＣＣＨ上で、上記通常ＰＭＣＨ構成情報を端末装置に通知する。この場合に、通信制御部３４３は、上記通常ＭＣＣＨ構成情報から、ＭＣＣＨが配置される通常のＭＢＳＦＮサブフレームを特定し、当該通常のＭＢＳＦＮサブフレームに配置されるＭＣＣＨから、上記通常ＰＭＣＨ構成情報を取得する。
【０１６８】
＜３．４．処理の流れ＞
次に、図２４〜図２６を参照して、第１の実施形態に係る各処理を説明する。
【０１６９】
（ネットワーク側の処理）
図２４は、第１の実施形態に係るネットワーク側の処理の概略的な流れの一例を示すシーケンス図である。
【０１７０】
ステップＳ４０１で、制御装置１００−１は、ＭＢＭＳスケジューリング情報メッセージをスモール基地局２００−１に通知する。そして、スモール基地局２００−１は、当該ＭＢＭＳスケジューリング情報メッセージを取得する。
【０１７１】
その後、ステップＳ４０３で、スモール基地局２００−１は、ＭＢＭＳスケジューリング情報応答メッセージを制御装置１００−１に通知する。そして、制御装置１００−１は、当該ＭＢＭＳスケジューリング情報応答メッセージを取得する。
【０１７２】
なお、上記ＭＢＭＳスケジューリング情報メッセージは、例えば、グループＭＢＳＦＮサブフレーム及び通常のＭＢＳＦＮサブフレームを示す。また、当該ＭＢＭＳスケジューリング情報メッセージは、例えば、上記グループＭＢＳＦＮサブフレームにおけるマルチキャストチャネル（ＰＭＣＨ、ＭＴＣＨ及びＭＣＣＨ）の配置、並びに、上記通常のＭＢＳＦＮサブフレームにおけるマルチキャストチャネル（ＰＭＣＨ、ＭＴＣＨ及びＭＣＣＨ）の配置を示す。
【０１７３】
（マルチキャストに関する処理）
−特定の端末グループへのマルチキャスト
図２５は、第１の実施形態に係るマルチキャストに関する第１の処理の概略的な流れの一例を示すシーケンス図である。当該第１の処理は、特定の端末グループへのマルチキャストに関する処理である。
【０１７４】
ステップＳ４１１で、スモール基地局２００−１は、グループＲＮＴＩを使用して、ＰＤＣＣＨ又はＰＤＳＣＨ上でグループＭＣＣＨ構成情報を送信する。すると、端末装置３００−１は、上記グループＲＮＴＩを使用して、当該グループＭＣＣＨ構成情報を受信し、取得する。そして、端末装置３００−１は、ＭＣＣＨが配置されるグループＭＢＳＦＮサブフレームを特定する。
【０１７５】
ステップＳ４１３で、スモール基地局２００−１は、上記グループＭＢＳＦＮサブフレームに配置されるＭＣＣＨ上で、グループＰＭＣＨ構成情報（例えば、ＭＢＳＦＮエリアコンフィギュレーションメッセージ）を送信する。すると、端末装置３００−１は、当該グループＰＭＣＨ構成情報を受信し、取得する。そして、端末装置３００−１は、所望のＭＢＭＳセッションのＭＴＣＨがマッピングされるＰＭＣＨが配置されるグループＭＢＳＦＮサブフレームを特定する。
【０１７６】
ステップＳ４１５で、スモール基地局２００−１は、上記ＰＭＣＨが配置される上記グループＭＢＳＦＮサブフレームのうちの最初のサブフレーム内で、上記ＰＭＣＨのＭＳＩを送信する。すると、端末装置３００−１は、当該ＭＳＩを受信し、取得する。そして、端末装置３００−１は、上記所望のＭＢＭＳセッションの上記ＭＴＣＨが配置されるサブフレームを特定する。
【０１７７】
ステップＳ４１７で、スモール基地局２００−１は、上記サブフレームに配置される上記ＭＴＣＨ上で、上記所望のＭＢＭＳセッションのデータを送信する。すると、端末装置３００−１は、当該データを受信し、取得する。
【０１７８】
−全ての端末装置へのマルチキャスト
図２６は、第１の実施形態に係るマルチキャストに関する第２の処理の概略的な流れの一例を示すシーケンス図である。当該第２の処理は、全ての端末装置へのマルチキャストに関する処理である。
【０１７９】
ステップＳ４２１で、スモール基地局２００−１は、ＰＤＳＣＨ上で、通常ＭＣＣＨ構成情報を含むＳＩＢ１３を送信する。すると、端末装置３００−１は、上記ＳＩＢ１３を受信し、取得する。そして、端末装置３００−１は、ＭＣＣＨが配置される通常のＭＢＳＦＮサブフレームを特定する。
【０１８０】
ステップＳ４２３で、スモール基地局２００−１は、上記通常のＭＢＳＦＮサブフレームに配置されるＭＣＣＨ上で、通常ＰＭＣＨ構成情報（ＭＢＳＦＮエリアコンフィギュレーションメッセージ）を送信する。すると、端末装置３００−１は、当該通常ＰＭＣＨ構成情報を受信し、取得する。そして、端末装置３００−１は、所望のＭＢＭＳセッションのＭＴＣＨがマッピングされるＰＭＣＨが配置される通常のＭＢＳＦＮサブフレームを特定する。
【０１８１】
ステップＳ４２５で、スモール基地局２００−１は、上記ＰＭＣＨが配置される上記通常のＭＢＳＦＮサブフレームのうちの最初のサブフレーム内で、上記ＰＭＣＨのＭＳＩを送信する。すると、端末装置３００−１は、当該ＭＳＩを受信し、取得する。そして、端末装置３００−１は、上記所望のＭＢＭＳセッションの上記ＭＴＣＨが配置されるサブフレームを特定する。
【０１８２】
ステップＳ４２７で、スモール基地局２００−１は、上記サブフレームに配置される上記ＭＴＣＨ上で、上記所望のＭＢＭＳセッションのデータを送信する。すると、端末装置３００−１は、当該データを受信し、取得する。
【０１８３】
＜３．５．変形例＞
次に、第１の実施形態の変形例を説明する。第１の実施形態の変形例によれば、ＭＢＭＳカウンティング手続きを通じて、特定の端末グループに属する端末装置についてのカウンティング結果が取得される。そして、当該カウンティング結果に基づいて、特定の端末グループへのマルチキャストの対象となるＭＢＭＳサービスが決定される。
【０１８４】
（特定の端末グループに属する端末装置に関するカウンティング）
−スモール基地局２００−１
スモール基地局２００−１（例えば、通信制御部２５３）は、ＭＢＭＳカウンティング手続きを通じて、特定の端末グループに属する端末装置についてのカウンティング結果を生成する。そして、スモール基地局２００−１（例えば、通信制御部２５３）は、当該カウンティング結果を制御装置１００−１に提供する。
【０１８５】
−制御装置１００−１
制御装置１００−１（例えば、決定部１３１）は、ＭＢＳＦＮエリア３０に属するスモールセル２０のスモール基地局２００からの上記カウンティング結果を取得する。そして、制御装置１００−１（例えば、決定部１３１）は、当該カウンティング結果に基づいて、上記特定の端末グループへのマルチキャストの対象となるＭＢＭＳサービスを決定する。
【０１８６】
具体的には、例えば、制御装置１００−１は、カウンティング結果を集計する。そして、制御装置１００−１（例えば、決定部１３１）は、閾値を超える数を伴うＭＢＭＳサービスをマルチキャストの対象となるＭＢＭＳサービスとして決定する。一方、制御装置１００−１（例えば、決定部１３１）は、閾値以下の数（０を除く）を伴うＭＢＭＳサービスをユニキャストの対象となるＭＢＭＳサービスとして決定する。
【０１８７】
その後、制御装置１００−１（例えば、決定部１３１）は、例えば、上記特定の端末グループへのマルチキャストの対象となるＭＢＭＳサービスのＭＢＭＳセッションのデータをＭＴＣＨにマッピングし、当該ＭＴＣＨにグループＭＢＳＦＮサブフレームを割り当てる。なお、制御装置１００−１は、上記カウンティング結果に基づいて、ＭＴＣＨに割り当てるＭＢＭＳサブフレームの数を決定してもよい。
【０１８８】
以上のように、特定の端末グループに属する端末装置についてのカウンティング結果に基づいて、特定の端末グループへのマルチキャストの対象となるＭＢＭＳサービスが決定される。これにより、例えば、特定の端末グループにおける興味に応じたＭＢＭＳサービスを提供することが可能になる。
【０１８９】
（特定の端末グループに属さない端末装置に関するカウンティング）
−スモール基地局２００−１
例えば、スモール基地局２００−１（例えば、通信制御部２５３）は、ＭＢＭＳカウンティング手続きを通じて、特定の端末グループに属さない端末装置についてのカウンティング結果をさらに生成してもよい。そして、スモール基地局２００−１（例えば、通信制御部２５３）は、当該カウンティング結果を制御装置１００−１にさらに提供してもよい。
【０１９０】
−制御装置１００−１
制御装置１００−１（例えば、決定部１３１）は、ＭＢＳＦＮエリア３０に属するスモールセル２０のスモール基地局２００−１からの上記カウンティング結果を取得してもよい。そして、制御装置１００−１（例えば、決定部１３１）は、当該カウンティング結果に基づいて、全ての端末装置へのマルチキャスト（即ち、通常のＭＢＳＦＮサブフレームでのマルチキャスト）の対象となるＭＢＭＳサービスを決定してもよい。具体的な決定の手法は、上述した手法と同様である。
【０１９１】
その後、制御装置１００−１（例えば、決定部１３１）は、例えば、全ての端末装置へのマルチキャストの対象となるＭＢＭＳサービスのＭＢＭＳセッションのデータをＭＴＣＨにマッピングし、当該ＭＴＣＨに通常のＭＢＳＦＮサブフレームを割り当ててもよい。なお、制御装置１００−１は、上記カウンティング結果に基づいて、ＭＴＣＨに割り当てるＭＢＭＳサブフレームの数を決定してもよい。
【０１９２】
以上のように、特定の端末グループに属さない端末装置についてのカウンティング結果に基づいて、全ての端末装置へのマルチキャストの対象となるＭＢＭＳサービスが決定されてもよい。これにより、例えば、特定の端末グループに属さない端末装置の興味に応じたＭＢＭＳサービスをさらに提供することが可能になる。
【０１９３】
以上、第１の実施形態を説明した。第１の実施形態によれば、特定の端末グループ用のＭＢＳＮＦサブフレームに配置されるＭＣＣＨの構成を示すグループＭＣＣＨ構成情報が上記特定の端末グループに通知される。これにより、例えば、上記特定の端末グループへのマルチキャストを行うことが可能になる。
【０１９４】
＜＜４．第２の実施形態＞＞
続いて、図２７〜図３１を参照して、本開示の第２の実施形態を説明する。上述したように、本開示の実施形態によれば、スモール基地局２００は、特定の端末グループ用のＭＢＳＦＮサブフレームに配置されるマルチキャストチャネルの構成を示すチャネル構成情報を上記特定の端末グループに通知する。とりわけ第２の実施形態では、当該マルチキャストチャネルは、ＰＭＣＨである。即ち、第２の実施形態によれば、スモール基地局２００は、特定の端末グループ用のＭＢＳＮＦサブフレームに配置されるＰＭＣＨの構成を示すチャネル構成情報を上記特定の端末グループに通知する。
【０１９５】
＜４．１．制御装置の構成＞
第２の実施形態に係る制御装置１００−２についての説明は、例えば、第１の実施形態に係る制御装置１００−１についての説明と同一である（符号の相違を除く）。よって、ここでは重複する説明を省略する。
【０１９６】
＜４．２．スモール基地局の構成＞
次に、図２７〜図２９を参照して、第２の実施形態に係るスモール基地局２００−２の構成を説明する。図２７は、第２の実施形態に係るスモール基地局２００−２の構成の一例を示すブロック図である。図２７を参照すると、スモール基地局２００−２は、アンテナ部２１０、無線通信部２２０、ネットワーク通信部２３０、記憶部２４０及び処理部２６０を備える。
【０１９７】
なお、アンテナ部２１０、無線通信部２２０、ネットワーク通信部２３０及び記憶部２４０についての説明は、第１の実施形態と第２の実施形態との間で差異はない（符号の相違を除く）。よって、ここでは、処理部２６０のみを説明する。
【０１９８】
（処理部２６０）
処理部２６０は、スモール基地局２００−２の様々な機能を提供する。処理部２６０は、情報取得部２６１及び通信制御部２６３を含む。
【０１９９】
（情報取得部２６１）
−グループＰＭＣ構成情報の取得
情報取得部２６１は、特定の端末グループ用のＭＢＳＦＮサブフレーム（即ち、グループＭＢＳＦＮサブフレーム）に配置されるマルチキャストチャネルの構成を示すチャネル構成情報を取得する。上述したように、上記特定の端末グループは、例えばＣＳＧである。
【０２００】
とりわけ第２の実施形態では、上記マルチキャストチャネルは、ＰＭＣＨである。即ち、情報取得部２６１は、グループＭＢＳＦＮサブフレームに配置されるＰＭＣＨの構成を示すチャネル構成情報（即ち、グループＰＭＣＨ構成情報）を取得する。
【０２０１】
なお、上記マルチキャストチャネル（ＰＭＣＨ）は、グループＭＢＳＦＮサブフレームに配置されるので、特定の端末グループ用のマルチキャストチャネル（ＰＭＣＨ）であると言える。
【０２０２】
−−具体的な内容
例えば、上記グループＰＭＣＨ構成情報は、ＭＢＳＦＮエリアコンフィギュレーションメッセージである。
【０２０３】
より具体的には、例えば、上記グループＰＭＣＨ構成情報は、共通サブフレーム割当て（ＣＳＡ）パターンリスト及びＣＳＡ期間を含む。一例として、上記ＣＳＡパターンリスト及び上記ＣＳＡ期間は、通常のＭＢＳＦＮサブフレーム及びグループＭＢＳＦＮサブフレームを含むＭＢＳＦＮサブフレームを示す。この場合に、例えば、上記グループＰＭＣＨ構成情報は、上記ＣＳＡパターンリスト及び上記ＣＳＡ期間により示されるＭＢＳＦＮサブフレームに含まれる通常のＭＢＳＦＮサブフレームとグループＭＢＳＦＮサブフレームとを区別するための情報をさらに含む。別の例として、上記ＣＳＡパターンリスト及び上記ＣＳＡ期間は、グループＭＢＳＦＮサブフレームを示してもよい。
【０２０４】
また、例えば、上記グループＰＭＣＨ構成情報は、ＰＭＣＨ情報リストを含む。当該ＰＭＣＨ情報リストは、例えば、上記特定の端末グループ用の各ＰＭＣＨが配置されるグループＭＢＳＦＮサブフレームを示す。即ち、当該ＰＭＣＨ情報リストは、例えば、各ＰＭＣＨのサブフレーム割当て終了（Subframe  Allocation  End）を含む。また、上記ＰＭＣＨ情報リストは、例えば、各ＰＭＣＨのＭＣＨスケジューリング期間（ＭＳＰ）をさらに含む。また、上記ＰＭＣＨ情報リストは、例えば、上記特定の端末グループ用の各ＰＭＣＨにマッピングされる１つ以上のＭＴＣＨ（即ち、上記特定の端末グループ用の１つ以上のＭＴＣＨ）を示す。即ち、上記ＰＭＣＨ情報リストは、例えば、ＭＢＭＳセッション情報リストを含み、当該ＭＢＭＳセッション情報リストは、ＴＭＧＩ、セッションＩＤ及び論理チャネルＩＤを含む。
【０２０５】
−通常ＭＣＣＨ構成情報の取得
例えば、情報取得部２６１は、通常のＭＢＳＦＮサブフレームに配置されるＭＣＣＨの構成を示す通常ＭＣＣＨ構成情報をさらに取得する。
【０２０６】
なお、上記通常ＭＣＣＨ構成情報の具体的な内容については、第１の実施形態と第２の実施形態との間で差異はない。よって、ここでは、重複する説明を省略する。
【０２０７】
−通常ＰＭＣＨ構成情報の取得
例えば、情報取得部２６１は、通常のＭＢＳＦＮサブフレームに配置されるＰＭＣＨの構成を示す通常ＰＭＣＨ構成情報をさらに取得する。
【０２０８】
なお、上記通常ＰＭＣＨ構成情報の具体的な内容については、第１の実施形態と第２の実施形態との間で差異はない。よって、ここでは、重複する説明を省略する。
【０２０９】
（通信制御部２６３）
−グループＰＭＣＨ構成情報の通知
通信制御部２６３は、上記グループＭＢＳＦＮサブフレームに配置されるマルチキャストチャネルの構成を示す上記チャネル構成情報を、上記特定の端末グループに通知する。とりわけ第２の実施形態では、上記チャネル構成情報は、上記グループＰＭＣＨ構成情報であり、通信制御部２６３は、上記グループＰＭＣＨ構成情報を上記特定の端末グループに通知する。
【０２１０】
−−特定の端末グループ用の識別情報の使用による通知
例えば、通信制御部２６３は、上記特定の端末グループ用の識別情報を使用して、上記グループＰＭＣＨ構成情報を上記特定の端末グループに通知する。
【０２１１】
より具体的には、例えば、上記特定の端末グループ用の上記識別情報は、上記特定の端末グループ用のＲＮＴＩ（即ち、グループＲＮＴＩ）である。これにより、例えば、上記特定の端末グループに属する端末装置のみに、上記グループＰＭＣＨ構成情報を通知することが可能になる。
【０２１２】
また、例えば、通信制御部２６３は、上記特定の端末グループに属する端末装置に上記識別情報を通知する。これにより、例えば、上記特定の端末グループに属する端末装置が、上記グループＰＭＣＨ構成情報を実際に取得することが可能になる。
【０２１３】
−−具体的な通知の手法
例えば、通信制御部２６３は、上記グループＲＮＴＩを使用して、ＰＤＣＣＨ上で送信されるＤＣＩを通じて、上記グループＰＭＣＨ構成情報を上記特定の端末グループに通知する。これにより、例えば、グループＰＭＣＨ構成情報を必要に応じて迅速に上記特定の端末グループに通知することが可能になる。そのため、例えば、ＰＭＣＨ及びＭＴＣＨにグループＭＢＳＦＮサブフレームをダイナミックに割り当てることも可能になる。なお、上記ＰＤＣＣＨは、通常のＰＤＣＣＨであってもよく、又はｅＰＤＣＣＨであってもよい。
【０２１４】
−−−第１の例
第１の例として、通信制御部２６３は、上記グループＲＮＴＩを使用して、ＰＤＣＣＨ上で送信されるＤＣＩの中で、上記グループＰＭＣＨ構成情報が送信される無線リソースを示すリソース割当て情報を上記特定の端末グループに通知することにより、上記グループＰＭＣＨ構成情報を上記特定の端末グループに通知する。
【０２１５】
より具体的には、例えば、通信制御部２６３は、グループＲＮＴＩによりスクランブリングされたＣＲＣビットと、グループＰＭＣＨ構成情報が送信される無線リソースを示すリソース割当て情報とを含む、ＤＣＩ（即ち、特定の端末グループ用のＤＣＩ）を生成する。そして、通信制御部２６３は、当該ＤＣＩを、非ＭＢＳＦＮサブフレーム内のＰＤＣＣＨの無線リソースにマッピングする。これにより、上記特定の端末グループに属する端末装置は、グループＲＮＴＩを使用して、グループＰＭＣＨ構成情報が送信される無線リソース（即ち、ＰＤＳＣＨの無線リソース）を特定することができる。よって、当該端末装置は、上記無線リソースで送信されるグループＰＭＣＨ構成情報を取得することができる。なお、通信制御部２６３は、例えば、グループＰＭＣＨ構成情報を、上記リソース割当て情報により示される上記無線リソース（ＰＤＳＣＨの無線リソース）にマッピングする。これにより、上記グループＰＭＣＨ構成情報が上記無線リソースで実際に送信される。以下、図２８を参照して具体例を説明する。
【０２１６】
図２８は、割り当てられた無線リソースでのグループＰＭＣＨ構成情報の通知の例を説明するための説明図である。図２８を参照すると、非ＭＢＳＦＮサブフレームの無線リソースが示されている。例えば、ＰＤＣＣＨなどが配置されるＰＤＣＣＨ領域（例えば、３ＯＦＤＭシンボル又は２ＯＦＤＭシンボルの領域）内のＰＤＣＣＨ上で、上記ＣＲＣビットと上記リソース割当て情報とを含むＤＣＩ（特定の端末グループ用のＤＣＩ）が送信される。また、当該リソース割当て情報により示される無線リソース（ＰＤＳＣＨの無線リソース）で、グループＰＭＣＨ構成情報が送信される。
【０２１７】
なお、上記ＤＣＩは、ＭＢＳＦＮエリアＩＤ及び/又は非ＭＢＳＦＮ領域長などの情報を含んでもよい。あるいは、上記グループＰＭＣＨ構成情報が、これらの情報を含んでもよい。
【０２１８】
また、上述した通知手法が採用される場合には、グループＭＢＳＦＮサブフレームにＭＣＣＨが配置されなくてもよい。即ち、上記特定の端末グループ用のＭＣＣＨがなくてもよい。この場合に、上記特定の端末グループ用のＭＣＣＨについての各装置の動作も不要になり得る。
【０２１９】
−−−第２の例
第２の例として、通信制御部２６３は、上記グループＲＮＴＩを使用して、上記グループＭＢＳＦＮサブフレームのうちのＭＣＣＨが配置されるサブフレームのＰＤＣＣＨ上で送信されるＤＣＩの中で、当該サブフレームにＭＣＣＨが配置されていることを上記特定の端末グループに通知することにより、上記グループＰＭＣＨ構成情報を上記特定の端末グループに通知する。
【０２２０】
より具体的には、例えば、通信制御部２６３は、グループＲＮＴＩによりスクランブリングされたＣＲＣビットを含むＤＣＩ（即ち、特定の端末グループ用のＤＣＩ）を生成する。そして、通信制御部２６３は、グループＭＢＳＦＮサブフレームのうちのＭＣＣＨが配置されるサブフレームのＰＤＣＣＨの無線リソースに上記ＤＣＩをマッピングする。これにより、上記特定の端末グループに属する端末装置は、グループＲＮＴＩを使用して、上記サブフレームにＭＣＣＨ（即ち、上記特定の端末グループ用のＭＣＣＨ）が配置されていることを認識する。即ち、ＤＣＩ（より具体的には、ＤＣＩのＣＲＣビット）により、上記特定の端末グループに属する端末装置は、上記サブフレームにＭＣＣＨが配置されていることを暗黙的に通知される。よって、当該端末装置は、上記特定の端末グループ用の上記ＭＣＣＨ上で送信されるグループＰＭＣＨ構成情報を取得することができる。なお、通信制御部２６３は、例えば、上記グループＰＭＣＨ構成情報を、グループＭＢＳＦＮサブフレームに配置されるＭＣＣＨ（即ち、上記特定の端末グループ用のＭＣＣＨ）にマッピングする。これにより、上記グループＰＭＣＨ構成情報が実際に送信される。以下、図２９を参照して具体例を説明する。
【０２２１】
図２９は、ＭＣＣＨ上でのグループＰＭＣＨ構成情報の通知の例を説明するための説明図である。図２９を参照すると、ＭＢＳＦＮサブフレームの無線リソースが示されている。例えば、例えば、ＰＤＣＣＨなどが配置されるＰＤＣＣＨ領域（例えば、３ＯＦＤＭシンボル又は２ＯＦＤＭシンボルの領域）内のＰＤＣＣＨ上で、上記ＣＲＣビットを含むＤＣＩ（特定の端末グループ用のＤＣＩ）が送信される。また、上記特定の端末グループ用の上記ＭＣＣＨ上で、グループＰＭＣＨ構成情報が送信される。
【０２２２】
なお、上記ＤＣＩは、ＭＢＳＦＮエリアＩＤ及び/又は非ＭＢＳＦＮ領域長などの情報を含んでもよい。あるいは、上記グループＰＭＣＨ構成情報が、これらの情報を含んでもよい。
【０２２３】
例えば以上のような通知の手法により、上記特定の端末グループは、上記グループＭＣＣＨ構成情報を通知される。なお、特定の端末グループに暗号鍵を提供し、当該特定の端末グループにマルチキャストされるデータを上記暗号鍵により暗号化することによっても、特定の端末グループへのマルチキャストは実現され得る。しかし、このような手法によれば、上記特定の端末グループに属さない端末装置も、暗号化されたデータの受信を試みてしまうので、当該端末装置の電力が浪費され、また当該端末装置にとってのサービス品質が低下し得る。そのため、上述したような通知の手法によれば、特定の端末グループに属さない端末装置の電力の浪費、及び／又は当該端末装置にとってのサービス品質の低下などが、回避され得る。
【０２２４】
−−通知のタイミング
第１に、例えば、通信制御部２６３は、上記グループＰＭＣＨ構成情報が変更されるときに、上記グループＰＭＣＨ構成情報を上記特定の端末グループに通知する。これにより、例えば、端末装置は、同一のグループＰＭＣＨ構成情報を繰り返し取得しないので、端末装置の負担を軽減することができる。
【０２２５】
第２に、例えば、通信制御部２６３は、上記特定の端末グループに属する端末装置がＭＢＳＦＮエリア３０において接続されるときに、上記グループＰＭＣＨ構成情報を当該端末装置に通知する。より具体的には、例えば、上記ＭＢＳＦＮエリア外のセルから上記ＭＢＳＦＮエリア内のセルへの上記端末装置のハンドオーバが行われるときに、通信制御部２６３は、上記グループＰＭＣＨ構成情報を上記端末装置に通知する。また、例えば、上記ＭＢＳＦＮエリア内のセル内で、上記端末装置のモードがＲＲＣアイドルモードからＲＲＣ接続モードへ遷移するときに、通信制御部２６３は、上記グループＰＭＣＨ構成情報を上記端末装置に通知する。これにより、例えば、上記グループＰＭＣＨ構成情報が上記特定の端末グループに繰り返し通知されない場合でも、上記特定の端末グループに属する端末装置は、ＭＢＳＦＮエリア３０において接続されるときに、上記グループＰＭＣＨ構成情報を迅速に取得することが可能になる。
【０２２６】
なお、通信制御部２６３は、上記端末装置が上記ＭＢＳＦＮエリアにおいて接続されるときには、上記端末装置用の識別情報を使用して、上記グループＰＭＣＨ構成情報を当該端末装置に通知してもよい。当該識別情報は、例えば、Ｃ−ＲＮＴＩであってもよい。これにより、例えば、ＭＢＳＦＮエリアにおいて接続される端末装置のみへの通知が行われるので、上記特定の端末グループに属する他の端末装置の負担を軽減することが可能になる。
【０２２７】
以上のように、通信制御部２６３は、上記グループＰＭＣＨ構成情報を上記特定の端末グループに通知する。これにより、例えば、上記特定の端末グループに属する端末装置が、上記特定の端末グループ用のＰＭＣＨと、当該ＰＭＣＨにマッピングされるＭＴＣＨ（即ち、上記特定の端末グループ用のＭＴＣＨ）とを特定することが可能になる。即ち、上記特定の端末グループへのマルチキャストが行われ得る。
【０２２８】
なお、通信制御部２６３は、例えば、システム情報ブロック（例えば、ＳＩＢ１３）の中で、グループＭＢＳＦＮサブフレームに配置されるＭＣＣＨの構成を示すグループＭＣＣＨ構成情報を報知しない。これにより、例えば、上記特定の端末グループに属さない端末装置は上記グループＭＣＣＨ構成情報を取得せず、その結果、上記グループＰＭＣＨ構成情報を取得することもない。そのため、上記特定の端末グループのみへのマルチキャストが行われ得る。
【０２２９】
−通常ＭＣＣＨ構成情報の通知
例えば、通信制御部２６３は、上記通常のＭＢＳＦＮサブフレームに配置されるＭＣＣＨの構成を示す上記通常ＭＣＣＨ構成情報を、端末装置に通知する。例えば、通信制御部２６３は、上記通常ＭＣＣＨ構成情報を含むシステム情報ブロック（例えば、ＳＩＢ１３）を報知する。
【０２３０】
−通常ＰＭＣＨ構成情報の通知
例えば、通信制御部２６３は、上記通常のＭＢＳＦＮサブフレームに配置されるＰＭＣＨの構成を示す上記通常ＰＭＣＨ構成情報を、端末装置に通知する。例えば、通信制御部２６３は、上記通常のＭＢＳＦＮサブフレームに配置されるＭＣＣＨ上で、上記通常ＰＭＣＨ構成情報を通知する。
【０２３１】
−ＭＢＳＦＮサブフレームの通知
例えば、通信制御部２５３は、ＭＢＳＦＮサブフレームを端末装置に通知する。この点については、第１の実施形態と第２の実施形態との間に差異はない。よって、ここでは重複する説明を省略する。
【０２３２】
（その他：ＭＢＳＦＮ領域）
スモール基地局２００−２は、ＭＢＳＮＦエリア３０のＭＢＭＳサブフレームのフォーマットとして、いくつかの種類のフォーマットのうちのいずれかのフォーマットを使用し得る。この点については、第１の実施形態と第２の実施形態との間に差異はない。よって、ここでは重複する説明を省略する。
【０２３３】
＜４．３．端末装置の構成＞
次に、図３０を参照して、第２の実施形態に係る端末装置３００−２の構成を説明する。図３０は、第２の実施形態に係る端末装置３００−２の構成の一例を示すブロック図である。図３０を参照すると、端末装置３００−２は、アンテナ部３１０、無線通信部３２０、記憶部３３０及び処理部３４０を備える。
【０２３４】
なお、アンテナ部３１０、無線通信部３２０及び記憶部３３０についての説明は、第１の実施形態と第２の実施形態との間で差異はない（符号の相違を除く）。よって、ここでは、処理部３５０のみを説明する。
【０２３５】
（処理部３５０）
処理部３５０は、端末装置３００−２の様々な機能を提供する。処理部３５０は、情報取得部３５１及び通信制御部３５３を含む。
【０２３６】
（情報取得部３５１）
−特定の端末グループ用の識別情報の取得
情報取得部３５１は、特定の端末グループ用の識別情報を取得する。例えば、当該特定の端末グループ用の当該識別情報は、上記特定の端末グループ用のＲＮＴＩ（即ち、グループＲＮＴＩ）である。なお、上述したように、端末装置３００−２は、当該特定の端末グループに属する。
【０２３７】
−端末装置３００−２用の識別情報の取得
例えば、情報取得部３５１は、端末装置３００−２用の識別情報を取得する。例えば、端末装置３００−２用の当該識別情報は、端末装置３００−２用のＣ−ＲＮＴＩである。
【０２３８】
なお、上記グループＲＮＴＩ及び上記Ｃ−ＲＮＴＩの具体的な取得の手法については、第１の実施形態と第２の実施形態との間に差異はない。よって、ここでは重複する説明を省略する。
【０２３９】
（通信制御部３５３）
−グループＰＭＣＨ構成情報の取得
通信制御部３５３は、上記特定の端末グループ用の上記識別情報を使用して、上記特定の端末グループ用のＭＢＳＦＮサブフレーム（即ち、グループＭＢＳＦＮサブフレーム）に配置されるマルチキャストチャネルの構成を示すチャネル構成情報を取得する。上述したように、当該チャネル構成情報は、スモール基地局２００−２により上記特定の端末グループに通知される。
【０２４０】
とりわけ第２の実施形態では、上述したように、上記マルチキャストチャネルは、ＰＭＣＨであり、上記チャネル構成情報は、グループＭＢＳＦＮサブフレームに配置されるＰＭＣＨの構成を示すグループＰＭＣＨ構成情報である。即ち、通信制御部３５３は、上記特定の端末グループ用の上記識別情報（例えば、グループＲＮＴＩ）を使用して、上記グループＰＭＣＨ構成情報を取得する。
【０２４１】
−−具体的な通知の手法
例えば、スモール基地局２００−２は、上記グループＲＮＴＩを使用して、ＰＤＣＣＨ上で送信されるＤＣＩを通じて、上記グループＰＭＣＨ構成情報を上記特定の端末グループに通知する。この場合に、通信制御部３５３は、上記グループＲＮＴＩを使用して、ＰＤＣＣＨ上で送信されるＤＣＩを通じて、上記グループＰＭＣＨ構成情報を取得する。なお、上記ＰＤＣＣＨは、通常のＰＤＣＣＨであってもよく、又はｅＰＤＣＣＨであってもよい。
【０２４２】
−−−第１の例
第１の例として、スモール基地局２００−２は、上記グループＲＮＴＩを使用して、ＰＤＣＣＨ上で送信されるＤＣＩの中で、上記グループＰＭＣＨ構成情報が送信される無線リソースを示すリソース割当て情報を上記特定の端末グループに通知する。この場合に、通信制御部３５３は、上記グループＲＮＴＩを使用して、上記ＤＣＩから上記リソース割当て情報を取得し、上記無線リソースで送信される上記グループＰＭＣＨ構成情報を取得する。
【０２４３】
より具体的には、例えば、通信制御部３５３は、グループＲＮＴＩを使用して、ＰＤＣＣＨで送信されるＤＣＩに含まれるＣＲＣビットのデスクランブリングを行う。その結果、ＣＲＣビットに誤りがなければ、当該ＤＣＩは、特定の端末グループ用のＤＣＩであり、グループＰＭＣＨ構成情報が送信される無線リソースを示すリソース割当て情報を含む。そのため、通信制御部３５３は、当該ＤＣＩから当該リソース割当て情報を取得し、当該リソース割当て情報により示される無線リソースで送信されるグループＰＭＣＨ構成情報を取得する。
【０２４４】
上記ＤＣＩが送信されるサブフレームは、例えば図２８に示されるような非ＭＢＳＦＮサブフレームである。なお、上記ＤＣＩは、ＭＢＳＦＮエリアＩＤ及び/又は非ＭＢＳＦＮ領域長などの情報を含んでもよい。そして、通信制御部３５３は、上記ＤＣＩからこれらの情報を取得してもよい。あるいは、上記グループＰＭＣＨ構成情報が、これらの情報を含んでもよい。
【０２４５】
−−−第２の例
第２の例として、スモール基地局２００−２は、上記グループＲＮＴＩを使用して、上記グループＭＢＳＦＮサブフレームのうちのＭＣＣＨが配置されるサブフレームのＰＤＣＣＨ上で送信されるＤＣＩの中で、当該サブフレームにＭＣＣＨが配置されていることを上記特定の端末グループに通知するこの場合に、通信制御部３５３は、上記グループＲＮＴＩを使用して、上記ＤＣＩから、上記サブフレームにＭＣＣＨが配置されていることを認識し、上記サブフレーム内のＭＣＣＨ上で送信される上記グループＰＭＣＨ構成情報を取得する。
【０２４６】
より具体的には、例えば、通信制御部３５３は、グループＲＮＴＩを使用して、グループＭＢＳＦＮサブフレームのＰＤＣＣＨ上で送信されるＤＣＩに含まれるＣＲＣビットのデスクランブリングを行う。その結果、ＣＲＣビットに誤りがなければ、当該ＤＣＩは特定の端末グループ用のＤＣＩであり、当該ＤＣＩが送信されるサブフレームにはＭＣＣＨ（即ち、上記特定の端末グループ用のＭＣＣＨ）が配置されている。そのため、通信制御部３５３は、上記サブフレームに配置されているＭＣＣＨ上で送信されるグループＰＭＣＨ構成情報を取得する。
【０２４７】
上記ＤＣＩが送信されるサブフレームは、例えば図２９に示されるようなＭＢＳＦＮサブフレームである。なお、上記ＤＣＩは、ＭＢＳＦＮエリアＩＤ及び/又は非ＭＢＳＦＮ領域長などの情報を含んでもよい。そして、通信制御部３５３は、上記ＤＣＩからこれらの情報を取得してもよい。あるいは、上記グループＰＭＣＨ構成情報が、これらの情報を含んでもよい。
【０２４８】
以上のように、通信制御部３５３は、上記グループＲＮＴＩを使用して、上記グループＰＭＣＨ構成情報を取得する。これにより、例えば、端末装置３００−２は、上記特定の端末グループ用のＰＭＣＨと、当該ＰＭＣＨ上にマッピングされるＭＴＣＨ（即ち、特定の端末グループ用のＭＴＣＨ）を特定することが可能になる。そのため、端末装置３００−２は、特定の端末グループにマルチキャストされるＭＢＭＳセッションを取得することができる。
【０２４９】
なお、スモール基地局２００−２は、端末装置３００−２がＭＢＳＦＮエリア３０において接続されるときに、端末装置３００−２用のＣ−ＲＮＴＩを使用して、上記グループＰＭＣＨ構成情報を端末装置３００−２に通知してもよい。この場合に、通信制御部３５３は、端末装置３００−２用のＣ−ＲＮＴＩを使用して、上記グループＰＭＣＨ構成情報を取得してもよい。
【０２５０】
−通常ＭＣＣＨ構成情報の取得
例えば、通信制御部３５３は、上記通常のＭＢＳＦＮサブフレームに配置されるＭＣＣＨの構成を示す通常ＭＣＣＨ構成情報をさらに取得する。この点についての説明は、第１の実施形態と第２の実施形態との間に差異はない。よって、ここでは重複する説明を省略する。
【０２５１】
−通常ＰＭＣＨ構成情報の取得
例えば、通信制御部３４３は、上記通常のＭＢＳＦＮサブフレームに配置されるＰＭＣＨの構成を示す通常ＰＭＣＨ構成情報をさらに取得する。この点についての説明は、第１の実施形態と第２の実施形態との間に差異はない。よって、ここでは重複する説明を省略する。
【０２５２】
＜４．４．処理の流れ＞
次に、図３１を参照して、第２の実施形態に係る各処理を説明する。
【０２５３】
（ネットワーク側の処理）
第２の実施形態に係るネットワーク側の処理は、例えば、図２４を参照して説明した第１の実施形態に係る処理と同一である。
【０２５４】
（マルチキャストに関する処理）
−特定の端末グループへのマルチキャスト
図３１は、第２の実施形態に係るマルチキャストに関する第１の処理の概略的な流れの一例を示すシーケンス図である。当該第１の処理は、特定の端末グループへのマルチキャストに関する処理である。
【０２５５】
ステップＳ５０１で、スモール基地局２００−２は、グループＲＮＴＩを使用して、ＰＤＳＣＨ又はＭＣＣＨ上でグループＰＭＣＨ構成情報を送信する。すると、端末装置３００−２は、上記グループＲＮＴＩを使用して、当該グループＰＭＣＨ構成情報を受信し、取得する。そして、端末装置３００−２は、所望のＭＢＭＳセッションのＭＴＣＨがマッピングされるＰＭＣＨが配置されるグループＭＢＳＦＮサブフレームを特定する。
【０２５６】
ステップＳ５０３で、スモール基地局２００−２は、上記ＰＭＣＨが配置される上記グループＭＢＳＦＮサブフレームのうちの最初のサブフレーム内で、上記ＰＭＣＨのＭＳＩを送信する。すると、端末装置３００−２は、当該ＭＳＩを受信し、取得する。そして、端末装置３００−２は、上記所望のＭＢＭＳセッションの上記ＭＴＣＨが配置されるサブフレームを特定する。
【０２５７】
ステップＳ５０５で、スモール基地局２００−２は、上記サブフレームに配置される上記ＭＴＣＨ上で、上記所望のＭＢＭＳセッションのデータを送信する。すると、端末装置３００−２は、当該データを受信し、取得する。
【０２５８】
−全ての端末装置へのマルチキャスト
第２の実施形態に係るマルチキャストに関する第２の処理（即ち、全ての端末装置へのマルチキャストに関する処理）は、例えば、図２６を参照して説明した第１の実施形態に係る処理と同一である。
【０２５９】
＜４．５．変形例＞
第２の実施形態の変形例によれば、ＭＢＭＳカウンティング手続きを通じて、特定の端末グループに属する端末装置についてのカウンティング結果が取得される。そして、当該カウンティング結果に基づいて、特定の端末グループへのマルチキャストの対象となるＭＢＭＳサービスが決定される。
【０２６０】
なお、第２の実施形態の変形例についての説明は、第１の実施形態に係る変形例についての説明と同一である（符号の相違を除く）。よって、ここでは重複する説明を省略する。
【０２６１】
以上、第２の実施形態を説明した。第２の実施形態によれば、特定の端末グループ用のＭＢＳＮＦサブフレームに配置されるＰＭＣＨの構成を示すグループＰＭＣＨ構成情報が上記特定の端末グループに通知される。これにより、例えば、上記特定の端末グループへのマルチキャストを行うことが可能になる。
【０２６２】
＜＜５．第３の実施形態＞＞
続いて、本開示の第３の実施形態を説明する。
【０２６３】
＜５．１．概略＞
上述したように、各ＰＭＣＨには、１つ以上のＭＢＳＦＮサブフレームが割り当てられる。そして、当該１つ以上のＭＢＳＦＮサブフレームは、ＰＭＣＨにマッピングされる１つ以上のＭＴＣＨにさらに割り当てられる。
【０２６４】
しかし、ＰＭＣＨに複数のＭＢＳＦＮサブフレームが割り当てられる場合に、当該複数のＭＢＳＦＮサブフレームの中には、いずれのＭＴＣＨにも割り当てられないＭＢＳＦＮサブフレームも存在し得る。このような場合に、当該ＭＢＳＦＮサブフレームでは、例えば、いずれのデータも送信されない。とりわけＭＢＳＦＮでは、複数のセルが同一の無線リソースで同一のデータを送信するので、上記ＭＢＳＦＮサブフレームでは、例えば、当該複数のセル内でいずれのデータも送信されない。その結果、多大な無線リソースが無駄になり得る。
【０２６５】
そこで、ＭＢＳＦＮの無線リソースをより有効に利用することを可能にする仕組みが提供されることが望ましい。
【０２６６】
第３の実施形態によれば、スモール基地局２００は、ＭＢＳＦＮサブフレームのうちのいずれのＭＴＣＨにも割り当てられないサブフレームの無線リソースを端末装置に割り当てる。また、端末装置３００は、上記サブフレームの無線リソースが端末装置３００に割当てられているかを判定する。これにより、例えば、ＭＢＳＦＮの無線リソースをより有効に利用することが可能になる。
【０２６７】
＜５．２．スモール基地局の構成＞
次に、図３２を参照して、第３の実施形態に係るスモール基地局２００−３の構成を説明する。図３２は、第３の実施形態に係るスモール基地局２００−３の構成の一例を示すブロック図である。図３２を参照すると、スモール基地局２００−３は、アンテナ部２１０、無線通信部２２０、ネットワーク通信部２３０、記憶部２４０及び処理部２７０を備える。
【０２６８】
なお、アンテナ部２１０、無線通信部２２０、ネットワーク通信部２３０及び記憶部２４０についての説明は、第１の実施形態（又は第２の実施形態）と第３の実施形態との間で差異はない（符号の相違を除く）。よって、ここでは、処理部２７０のみを説明する。
【０２６９】
（処理部２７０）
処理部２７０は、スモール基地局２００−３の様々な機能を提供する。処理部２７０は、情報取得部２７１及び通信制御部２７３を含む。
【０２７０】
（情報取得部２７１）
情報取得部２７１は、ＭＢＳＦＮサブフレームのうちのいずれのＭＴＣＨにも割り当てられないサブフレーム（以下、「空きサブフレーム」と呼ぶ）を示す情報（以下、「空きサブフレーム情報」と呼ぶ）を取得する。
【０２７１】
例えば、各ＰＭＣＨについて、ＰＭＣＨに割り当てられる１つ以上のＭＢＳＦＮサブフレームと、当該ＰＭＣＨにマッピングされる１つ以上のＭＴＣＨとを示す情報（例えば、ＰＭＣＨ情報リスト）が、記憶部２４０に記憶される。また、上記１つ以上のＭＢＳＦＮサブフレームのうちの、上記１つ以上のＭＴＣＨの各々に割り当てられるＭＢＳＦＮサブフレームを示す情報が、記憶部２４０に記憶される。例えば、これらの情報に基づいて、ＭＢＳＦＮサブフレームのうちのいずれのＭＴＣＨにも割り当てられていないサブフレーム（即ち、空きサブフレーム）が特定される。そして、上記空きサブフレームを示す情報（即ち、空きサブフレーム情報）が、記憶部２４０に記憶される。情報取得部２７１は、記憶部２４０から、上記空きサブフレーム情報を取得する。
【０２７２】
図９を再び参照すると、例えば、ＣＳＡ期間２において、ＰＭＣＨ１に割り当てられるＭＢＳＦＮサブフレームのうちの最後の１つのサブフレームは、いずれのＭＴＣＨにも割り当てられない。また、ＣＳＡ期間２において、ＰＭＣＨ３に割り当てられるＭＢＳＦＮサブフレームのうちの最後の２つのサブフレームも、いずれのＭＴＣＨにも割り当てられない。このようなサブフレームが空きサブフレームとして特定され、当該サブフレームを示す空きサブフレーム情報が取得される。
【０２７３】
（通信制御部２７３）
−空きサブフレームの割り当て
通信制御部２７３は、ＭＢＳＦＮサブフレームのうちのいずれのＭＴＣＨにも割り当てられないサブフレーム（即ち、空きサブフレーム）の無線リソースを端末装置に割り当てる。即ち、空きサブフレームの無線リソースが、ユニキャストのために割り当てられる。
【０２７４】
図９を再び参照すると、上述したように、例えば、ＣＳＡ期間２において、ＰＭＣＨ１に割り当てられているＭＢＳＦＮサブフレームのうちの最後の１つのサブフレームが、空きサブフレームである。よって、通信制御部２７３は、このサブフレームの無線リソース（例えば、リソースブロック）を１つ以上の端末装置に割り当てる。また、上述したように、例えば、ＣＳＡ期間２において、ＰＭＣＨ３に割り当てられているＭＢＳＦＮサブフレームのうちの最後の２つのサブフレームが、空きサブフレームである。よって、通信制御部２７３は、これらのサブフレームの無線リソース（例えば、リソースブロック）を１つ以上の端末装置に割り当てる。
【０２７５】
これにより、例えば、ＭＢＳＦＮの無線リソースをより有効に利用することが可能になる。
【０２７６】
なお、上記空きサブフレーム内ではＭＢＳＦＮの送信が行われないので、上記空きサブフレーム内にＭＢＳＦＮ−ＲＳが配置されなくてもよい。また、上記空きサブフレーム内にＣＲＳが配置されてもよい。
【０２７７】
−空きサブフレーム情報の通知
通信制御部２７３は、上記空きサブフレーム情報を端末装置に通知してもよい。一例として、通信制御部２７３は、ＭＢＳＦＮエリアコンフィギュレーションメッセージの中で上記空きサブフレーム情報を端末装置に通知してもよい。別の例として、通信制御部２７３は、システム情報ブロック（例えば、ＳＩＢ１３）の中で上記空きサブフレーム情報を端末装置に通知してもよい。これにより、例えば、端末装置は空きサブフレームをより容易に知ることが可能になる。
【０２７８】
＜５．３．端末装置の構成＞
次に、図３３を参照して、第３の実施形態に係る端末装置３００−３の構成を説明する。図３３は、第３の実施形態に係る端末装置３００−３の構成の一例を示すブロック図である。図３３を参照すると、端末装置３００−３は、アンテナ部３１０、無線通信部３２０、記憶部３３０及び処理部３６０を備える。
【０２７９】
なお、アンテナ部３１０、無線通信部３２０及び記憶部３３０についての説明は、第１の実施形態（又は第２の実施形態）と第３の実施形態との間で差異はない（符号の相違を除く）。よって、ここでは、処理部３６０のみを説明する。
【０２８０】
（処理部３６０）
処理部３６０は、端末装置３００−３の様々な機能を提供する。処理部３６０は、情報取得部３６１及び通信制御部３６３を含む。
【０２８１】
（情報取得部３６１）
情報取得部３６１は、ＭＢＳＦＮサブフレームのうちのいずれのＭＴＣＨにも割り当てられないサブフレーム（即ち、空きサブフレーム）を示す情報（即ち、空きサブフレーム情報）を取得する。
【０２８２】
例えば、情報取得部３６１は、ＭＢＳＦＮサブフレームに配置されるＰＭＣＨのＭＳＩを取得し、当該ＭＳＩから、ＭＢＳＦＮサブフレームのうちのいずれのＭＴＣＨにも割り当てられないサブフレーム（即ち、空きサブフレーム）を特定する。情報取得部３６１は、このように空きサブフレームを特定することにより、空きサブフレームを示す空きサブフレーム情報を取得する。
【０２８３】
なお、スモール基地局２００−３が、端末装置に空きサブフレーム情報を通知してもよい。そして、情報取得部３６１は、当該空きサブフレーム情報を取得してもよい。
【０２８４】
（通信制御部３６３）
通信制御部３６３は、ＭＢＳＦＮサブフレームのうちのいずれのＭＴＣＨにも割り当てられないサブフレーム（即ち、空きサブフレーム）の無線リソースが端末装置３００−３に割り当てられているかを判定する。
【０２８５】
例えば、通信制御部３６３は、空きサブフレームのＰＤＣＣＨ上で送信されるＤＣＩに含まれるＣＲＣビットのデスクランブリングを行う。その結果、ＣＲＣビットに誤りがなければ、通信制御部３６３は、上記空きサブフレームの無線リソースが端末装置３００−３に割り当てられていると判定する。そして、通信制御部３６３は、ＤＣＩに含まれているリソース割当て情報を取得し、当該リソース割当て情報により示される無線リソースで送信される情報（即ち、端末装置３００−３宛の情報）を取得する。なお、ＣＲＣビットに誤りがなければ、情報取得部３６３１は、上記空きサブフレームの無線リソースが端末装置３００−３に割り当てられていないと判定する。
【０２８６】
これにより、例えば、ＭＢＳＦＮの無線リソースをより有効に利用することが可能になる。
【０２８７】
＜５．４．処理の流れ＞
次に、図３４を参照して、第３の実施形態に係る処理を説明する。図３４は、第３の実施形態に係る処理の概略的な流れの一例を示すシーケンス図である。
【０２８８】
ステップＳ６０１で、スモール基地局２００−３は、ＰＤＳＣＨ上でＳＩＢ１３を送信する。すると、端末装置３００−３は、上記ＳＩＢ１３を受信し、取得する。そして、端末装置３００−３は、ＭＣＣＨが配置されるＭＢＳＦＮサブフレームを特定する。
【０２８９】
ステップＳ６０３で、スモール基地局２００−３は、上記ＭＢＳＦＮサブフレームに配置されるＭＣＣＨ上で、ＭＢＳＦＮエリアコンフィギュレーションメッセージを送信する。すると、端末装置３００−３は、当該ＭＢＳＦＮエリアコンフィギュレーションメッセージを受信し、取得する。そして、端末装置３００−３は、所望のＭＢＭＳセッションのＭＴＣＨがマッピングされるＰＭＣＨが配置されるＭＢＳＦＮサブフレームを特定する。
【０２９０】
ステップＳ６０５で、スモール基地局２００−３は、上記ＰＭＣＨが配置される上記ＭＢＳＦＮサブフレームのうちの最初のサブフレーム内で、上記ＰＭＣＨのＭＳＩを送信する。すると、端末装置３００−３は、当該ＭＳＩを受信し、取得する。そして、端末装置３００−３は、上記所望のＭＢＭＳセッションの上記ＭＴＣＨが配置されるサブフレームを特定する。また、端末装置３００−３は、いずれのＭＴＣＨも配置されていない空きサブフレームも特定する。
【０２９１】
ステップＳ６０７で、スモール基地局２００−３は、上記サブフレームに配置される上記ＭＴＣＨ上で、上記所望のＭＢＭＳセッションのデータを送信する。すると、端末装置３００−３は、当該データを受信し、取得する。
【０２９２】
ステップＳ６０９で、スモール基地局２００−３は、上記空きサブフレームの無線リソースを端末装置に割り当て、当該空きサブフレーム内の無線リソース（即ち、ＰＭＣＨの無線リソース）で端末装置宛の情報を送信する。すると、端末装置３００−３は、上記空きサブフレームの無線リソースが端末装置３００−３に割り当てられているかを判定し、上記無線リソースが端末装置３００−３に割り当てられていれば、上記無線リソースで送信される情報（即ち、端末装置３００−３宛の情報）を取得する。
【０２９３】
＜５．５．変形例＞
次に、第３の実施形態の変形例を説明する。第３の実施形態の変形例によれば、第１の実施形態及び第２の実施形態と同様に、特定の端末グループへのマルチキャストが行われる。そして、スモール基地局２００−３は、特定の端末グループ用のＭＢＳＦＮサブフレームのうちのいずれのＭＴＣＨにも割り当てられないサブフレームの無線リソースを、上記特定の端末グループに属する端末装置に割り当てる。また、上記特定端末グループに属する端末装置３００−３は、上記サブフレームの無線リソースが端末装置３００−３に割当てられているかを判定する。これにより、例えば、ＭＢＳＦＮの無線リソースをより有効に利用することが可能になる。
【０２９４】
（スモール基地局２００−３：情報取得部２７１）
情報取得部２７１は、特定のグループ用のＭＢＳＦＮサブフレーム（即ち、グループＭＢＳＦＮサブフレーム）のうちのいずれのＭＴＣＨにも割り当てられないサブフレーム（以下、「空きサブフレーム」と呼ぶ）を示す情報（以下、「空きサブフレーム情報」と呼ぶ）を取得する。
【０２９５】
例えば、特定の端末グループ用の各ＰＭＣＨについて、ＰＭＣＨに割り当てられる１つ以上のグループＭＢＳＦＮサブフレームと、当該ＰＭＣＨにマッピングされる１つ以上のＭＴＣＨとを示す情報（例えば、ＰＭＣＨ情報リスト）が、記憶部２４０に記憶される。また、上記１つ以上のグループＭＢＳＦＮサブフレームのうちの、上記１つ以上のＭＴＣＨの各々に割り当てられるグループＭＢＳＦＮサブフレームを示す情報が、記憶部２４０に記憶される。例えば、これらの情報に基づいて、グループＭＢＳＦＮサブフレームのうちのいずれのＭＴＣＨにも割り当てられていないサブフレーム（即ち、空きサブフレーム）が特定される。そして、上記空きサブフレームを示す情報（即ち、空きサブフレーム情報）が、記憶部２４０に記憶される。情報取得部２７１は、記憶部２４０から、上記空きサブフレーム情報を取得する。
【０２９６】
図１７を再び参照すると、例えば、ＣＳＡ期間２において、ＰＭＣＨ３（特定の端末グループ用のＰＭＣＨ）に割当てられるグループＭＢＳＦＮサブフレームのうちの、最後の３つのサブフレームは、いずれのＭＴＣＨにも割り当てられない。また、ＣＳＡ期間４において、ＰＭＣＨ３に割り当てられるグループＭＢＳＦＮサブフレームのうちの最後の６つのサブフレームも、いずれのＭＴＣＨにも割り当てられない。このようなサブフレームが空きサブフレームとして特定され、当該サブフレームを示す空きサブフレーム情報が取得される。
【０２９７】
（スモール基地局２００−３：通信制御部２７３）
−空きサブフレームの割り当て
通信制御部２７３は、グループＭＢＳＦＮサブフレームのうちのいずれのＭＴＣＨにも割り当てられないサブフレーム（即ち、空きサブフレーム）の無線リソースを、上記特定の端末グループに属する端末装置に割り当てる。即ち、空きサブフレームの無線リソースが、ユニキャストのために割り当てられる。
【０２９８】
図１７を再び参照すると、上述したように、例えば、ＣＳＡ期間２において、ＰＭＣＨ３（特定の端末グループ用のＰＭＣＨ）に割り当てられているグループＭＢＳＦＮサブフレームのうちの最後の３つのサブフレームが、空きサブフレームである。よって、通信制御部２７３は、これらのサブフレームの無線リソース（例えば、リソースブロック）を、特定の端末グループに属する１つ以上の端末装置に割り当てる。また、上述したように、例えば、ＣＳＡ期間４において、ＰＭＣＨ３に割り当てられているグループＭＢＳＦＮサブフレームのうちの最後の６つのサブフレームが、空きサブフレームである。よって、通信制御部２７３は、これらのサブフレームの無線リソース（例えば、リソースブロック）を、上記特定の端末グループに属する１つ以上の端末装置に割り当てる。
【０２９９】
なお、上記空きサブフレーム内ではＭＢＳＦＮの送信が行われないので、上記空きサブフレーム内にＭＢＳＦＮ−ＲＳが配置されなくてもよい。また、上記空きサブフレーム内にＣＲＳが配置されてもよい。
【０３００】
−空きサブフレーム情報の通知
通信制御部２７３は、上記空きサブフレーム情報を、上記特定の端末グループに通知してもよい。一例として、通信制御部２７３は、第１の実施形態及び第２の実施形態において説明したグループＭＣＣＨ構成情報又はグループＰＭＣＨ構成情報の中で、上記空きサブフレーム情報を上記特定の端末グループに通知してもよい。
【０３０１】
（端末装置３００−３：情報取得部３６１）
情報取得部３６１は、グループＭＢＳＦＮサブフレームのうちのいずれのＭＴＣＨにも割り当てられないサブフレーム（即ち、空きサブフレーム）を示す情報（即ち、空きサブフレーム情報）を取得する。
【０３０２】
例えば、情報取得部３６１は、グループＭＢＳＦＮサブフレームに配置されるＰＭＣＨのＭＳＩを取得し、当該ＭＳＩから、グループＭＢＳＦＮサブフレームのうちのいずれのＭＴＣＨにも割り当てられないサブフレーム（即ち、空きサブフレーム）を特定する。情報取得部３６１は、このように空きサブフレームを特定することにより、空きサブフレームを示す空きサブフレーム情報を取得する。
【０３０３】
なお、スモール基地局２００−３が、端末装置に空きサブフレーム情報を通知してもよい。そして、情報取得部３６１は、当該空きサブフレーム情報を取得してもよい。
【０３０４】
（端末装置３００−３：通信制御部３６３）
通信制御部３６３は、グループＭＢＳＦＮサブフレームのうちのいずれのＭＴＣＨにも割り当てられないサブフレーム（即ち、空きサブフレーム）の無線リソースが端末装置３００−３に割り当てられているかを判定する。
【０３０５】
なお、第３の実施形態の変形例では、空きサブフレームがグループＭＢＳＦＮサブフレームであるが、具体的な判定の手法自体は、当該変形例の前に第３の実施形態の例として説明した手法と同一である。よって、ここでは重複する説明を省略する。
【０３０６】
（処理の流れ）
図３５は、第３の実施形態の変形例に係る処理の概略的な流れの一例を示すシーケンス図である。
【０３０７】
ステップＳ６２１で、スモール基地局２００−３は、グループＲＮＴＩを使用して、ＰＤＣＣＨ又はＰＤＳＣＨ上でグループＭＣＣＨ構成情報を送信する。すると、端末装置３００−３は、上記グループＲＮＴＩを使用して、当該グループＭＣＣＨ構成情報を受信し、取得する。そして、端末装置３００−３は、ＭＣＣＨが配置されるグループＭＢＳＦＮサブフレームを特定する。
【０３０８】
ステップＳ６２３で、スモール基地局２００−３は、上記グループＭＢＳＦＮサブフレームに配置されるＭＣＣＨ上で、グループＰＭＣＨ構成情報（例えば、ＭＢＳＦＮエリアコンフィギュレーションメッセージ）を送信する。すると、端末装置３００−３は、当該グループＰＭＣＨ構成情報を受信し、取得する。そして、端末装置３００−３は、所望のＭＢＭＳセッションのＭＴＣＨがマッピングされるＰＭＣＨが配置されるグループＭＢＳＦＮサブフレームを特定する。
【０３０９】
ステップＳ６２５で、スモール基地局２００−３は、上記ＰＭＣＨが配置される上記グループＭＢＳＦＮサブフレームのうちの最初のサブフレーム内で、上記ＰＭＣＨのＭＳＩを送信する。すると、端末装置３００−３は、当該ＭＳＩを受信し、取得する。そして、端末装置３００−３は、上記所望のＭＢＭＳセッションの上記ＭＴＣＨが配置されるサブフレームを特定する。また、端末装置３００−３は、いずれのＭＴＣＨも配置されていない空きサブフレームも特定する。
【０３１０】
ステップＳ６２７で、スモール基地局２００−３は、上記サブフレームに配置される上記ＭＴＣＨ上で、上記所望のＭＢＭＳセッションのデータを送信する。すると、端末装置３００−３は、当該データを受信し、取得する。
【０３１１】
ステップＳ６２９で、スモール基地局２００−３は、上記空きサブフレームの無線リソースを端末装置に割り当て、当該空きサブフレーム内の無線リソース（即ち、ＰＭＣＨの無線リソース）で端末装置宛の情報を送信する。すると、端末装置３００−３は、上記空きサブフレームの無線リソースが端末装置３００−３に割り当てられているかを判定し、上記無線リソースが端末装置３００−３に割り当てられていれば、上記無線リソースで送信される情報（即ち、端末装置３００−３宛の情報）を取得する。
【０３１２】
なお、以上のような処理の例は、第１の実施形態と同様にＭＣＣＨ構成情報などが送信される例である。しかし、第３の実施形態の変形例に係る処理は当該処理に限られない。当然ながら、第３の実施形態の変形例に係る処理の別の例として、第２の実施形態と同様にＰＭＣＨ構成情報などが送信されてもよい。
【０３１３】
以上、第３の実施形態の変形例として、グループＭＢＳＦＮサブフレームのうちの空きサブフレームの無線リソースが、特定の端末グループに属する端末装置に割当てられることを説明した。なお、当然ながら、第３の実施形態の変形例においても、通常のＭＢＳＦＮサブフレームの空きサブフレームの無線リソースが、端末装置に割当てられてもよい。
【０３１４】
以上、第３の実施形態を説明した。なお、第３の実施形態に係るスモール基地局２００−３の情報取得部２７１及び通信制御部２７３は、第１の実施形態に係る情報取得部２５１及び通信制御部２５３の動作と同一の動作をさらに行ってもよい。また、第３の実施形態に係る端末装置３００−３の情報取得部３６１及び通信制御部３６３は、第１の実施形態に係る情報取得部３４１及び通信制御部３４３の動作と同一の動作をさらに行ってもよい。あるいは、第３の実施形態に係るスモール基地局２００−３の情報取得部２７１及び通信制御部２７３は、第２の実施形態に係る情報取得部２６１及び通信制御部２６３の動作と同一の動作をさらに行ってもよい。また、第３の実施形態に係る端末装置３００−３の情報取得部３６１及び通信制御部３６３は、第２の実施形態に係る情報取得部３５１及び通信制御部３５３の動作と同一の動作をさらに行ってもよい。
【０３１５】
＜＜６．応用例＞＞
本開示に係る技術は、様々な製品へ応用可能である。例えば、制御装置１００は、タワーサーバ、ラックサーバ、又はブレードサーバなどのいずれかの種類のサーバとして実現されてもよい。また、制御装置１００の少なくとも一部の構成要素は、サーバに搭載されるモジュール（例えば、１つのダイで構成される集積回路モジュール、又はブレードサーバのスロットに挿入されるカード若しくはブレード）として実現されてもよい。
【０３１６】
また、例えば、スモール基地局２００は、ｅＮＢ（evolved  Node  B）として実現されてもよい。とりわけ、スモール基地局２００は、マクロセルよりも小さいセルをカバーするスモールｅＮＢであってよい。一例として、スモール基地局２００は、ホーム（フェムト）ｅＮＢであってもよい。別の例として、スモール基地局２００は、ピコｅＮＢ又はマイクロｅＮＢであってもよい。その代わりに、スモール基地局２００は、ＮｏｄｅＢ又はＢＴＳ（Base  Transceiver  Station）などの他の種類の基地局として実現されてもよい。スモール基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、スモール基地局２００として動作してもよい。
【０３１７】
また、例えば、端末装置３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置３００は、Ｍ２Ｍ（Machine  To  Machine）通信を行う端末（ＭＴＣ（Machine  Type  Communication）端末ともいう）として実現されてもよい。さらに、端末装置３００の少なくとも一部の構成要素は、これら端末に搭載されるモジュール（例えば、１つのダイで構成される集積回路モジュール）として実現されてもよい。
【０３１８】
＜６．１．制御装置に関する応用例＞
図３６は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０３１９】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０３２０】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０３２１】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０３２２】
図３６に示したサーバ７００において、図１４を参照して説明した決定部１３１及び通知部１３３は、プロセッサ７０１において実装されてもよい。一例として、プロセッサを決定部１３１及び通知部１３３として機能させるためのプログラム（換言すると、プロセッサに決定部１３１及び通知部１３３の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて決定部１３１及び通知部１３３が実装されてもよい。この場合に、上記モジュールは、プロセッサを決定部１３１及び通知部１３３として機能させるためのプログラムをメモリ７０２に記憶し、当該プログラムをプロセッサ７０１により実行してもよい。以上のように、決定部１３１及び通知部１３３を備える装置としてサーバ７００又は上記モジュールが提供されてもよく、プロセッサを決定部１３１及び通知部１３３として機能させるための上記プログラムが提供されてもよい。また、上記プログラムを記憶した読み取り可能な記憶媒体が提供されてもよい。
【０３２３】
＜６．２．基地局に関する応用例＞
（第１の応用例）
図３７は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０３２４】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図３７に示したように複数のアンテナ８１０を有し、複数のアンテナ８１０は、例えばｅＮＢ８００が使用する複数の周波数帯域にそれぞれ対応してもよい。なお、図３７にはｅＮＢ８００が複数のアンテナ８１０を有する例を示したが、ｅＮＢ８００は単一のアンテナ８１０を有してもよい。
【０３２５】
基地局装置８２０は、コントローラ８２１、メモリ８２２、ネットワークインタフェース８２３及び無線通信インタフェース８２５を備える。
【０３２６】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３２７】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３２８】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３２９】
無線通信インタフェース８２５は、図３７に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図３７に示したように複数のＲＦ回路８２７を含み、複数のＲＦ回路８２７は、例えば複数のアンテナ素子にそれぞれ対応してもよい。なお、図３７には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３３０】
図３７に示したｅＮＢ８００において、図１８を参照して説明した情報取得部２５１及び通信制御部２５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて情報取得部２５１及び通信制御部２５３が実装されてもよい。この場合に、上記モジュールは、プロセッサを情報取得部２５１及び通信制御部２５３として機能させるためのプログラム（換言すると、プロセッサに情報取得部２５１及び通信制御部２５３の動作を実行させるためのプログラム）を記憶し、当該プログラムを実行してもよい。別の例として、プロセッサを情報取得部２５１及び通信制御部２５３として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、情報取得部２５１及び通信制御部２５３を備える装置としてｅＮＢ８００、基地局装置８２０又は上記モジュールが提供されてもよく、プロセッサを情報取得部２５１及び通信制御部２５３として機能させるためのプログラムが提供されてもよい。また、上記プログラムを記憶した読み取り可能な記憶媒体が提供されてもよい。この点については、図２７を参照して説明した情報取得部２６１及び通信制御部２６３、並びに、図３２を参照して説明した情報取得部２７１及び通信制御部２７３も、情報取得部２５１及び通信制御部２５３と同様である。
【０３３１】
（第２の応用例）
図３８は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３３２】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図３８に示したように複数のアンテナ８４０を有し、複数のアンテナ８４０は、例えばｅＮＢ８３０が使用する複数の周波数帯域にそれぞれ対応してもよい。なお、図３８にはｅＮＢ８３０が複数のアンテナ８４０を有する例を示したが、ｅＮＢ８３０は単一のアンテナ８４０を有してもよい。
【０３３３】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３７を参照して説明したコントローラ８２１、メモリ８２２及びネットワークインタフェース８２３と同様のものである。
【０３３４】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３７を参照して説明したＢＢプロセッサ８２６と同様のものである。無線通信インタフェース８５５は、図３８に示したように複数のＢＢプロセッサ８５６を含み、複数のＢＢプロセッサ８５６は、例えばｅＮＢ８３０が使用する複数の周波数帯域にそれぞれ対応してもよい。なお、図３８には無線通信インタフェース８５５が複数のＢＢプロセッサ８５６を含む例を示したが、無線通信インタフェース８５５は単一のＢＢプロセッサ８５６を含んでもよい。
【０３３５】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３３６】
また、ＲＲＨ８６０は、接続インタフェース８６１及び無線通信インタフェース８６３を備える。
【０３３７】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３３８】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３８に示したように複数のＲＦ回路８６４を含み、複数のＲＦ回路８６４は、例えば複数のアンテナ素子にそれぞれ対応してもよい。なお、図３８には無線通信インタフェース８６３が複数のＲＦ回路８６４を含む例を示したが、無線通信インタフェース８６３は単一のＲＦ回路８６４を含んでもよい。
【０３３９】
図３８に示したｅＮＢ８３０において、図１８を参照して説明した情報取得部２５１及び通信制御部２５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて情報取得部２５１及び通信制御部２５３が実装されてもよい。この場合に、上記モジュールは、プロセッサを情報取得部２５１及び通信制御部２５３として機能させるためのプログラム（換言すると、プロセッサに情報取得部２５１及び通信制御部２５３の動作を実行させるためのプログラム）を記憶し、当該プログラムを実行してもよい。別の例として、プロセッサを情報取得部２５１及び通信制御部２５３として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、情報取得部２５１及び通信制御部２５３を備える装置としてｅＮＢ８３０、基地局装置８５０又は上記モジュールが提供されてもよく、プロセッサを情報取得部２５１及び通信制御部２５３として機能させるためのプログラムが提供されてもよい。また、上記プログラムを記憶した読み取り可能な記憶媒体が提供されてもよい。この点については、図２７を参照して説明した情報取得部２６１及び通信制御部２６３、並びに、図３２を参照して説明した情報取得部２７１及び通信制御部２７３も、情報取得部２５１及び通信制御部２５３と同様である。
【０３４０】
＜４．３．端末装置に関する応用例＞
（第１の応用例）
図３９は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３４１】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３４２】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３４３】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３９に示したように複数のＢＢプロセッサ９１３及び複数のＲＦ回路９１４を含んでもよい。なお、図３９には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３４４】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３４５】
アンテナスイッチ９１５の各々は、無線通信インタフェース９１２に含まれる複数の回路（例えば、異なる無線通信方式のための回路）の間でアンテナ９１６の接続先を切り替える。
【０３４６】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３９に示したように複数のアンテナ９１６を有してもよい。なお、図３９にはスマートフォン９００が複数のアンテナ９１６を有する例を示したが、スマートフォン９００は単一のアンテナ９１６を有してもよい。
【０３４７】
さらに、スマートフォン９００は、無線通信方式ごとにアンテナ９１６を備えてもよい。その場合に、アンテナスイッチ９１５は、スマートフォン９００の構成から省略されてもよい。
【０３４８】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３９に示したスマートフォン９００の各ブロックへ電力を供給する。補助コントローラ９１９は、例えば、スリープモードにおいて、スマートフォン９００の必要最低限の機能を動作させる。
【０３４９】
図３９に示したスマートフォン９００において、図２３を参照して説明した情報取得部３４１及び通信制御部３４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部３４１及び通信制御部３４３が実装されてもよい。この場合に、上記モジュールは、プロセッサを情報取得部３４１及び通信制御部３４３として機能させるためのプログラム（換言すると、プロセッサに情報取得部３４１及び通信制御部３４３の動作を実行させるためのプログラム）を記憶し、当該プログラムを実行してもよい。別の例として、プロセッサを情報取得部３４１及び通信制御部３４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部３４１及び通信制御部３４３を備える装置としてスマートフォン９００又は上記モジュールが提供されてもよく、プロセッサを情報取得部３４１及び通信制御部３４３として機能させるためのプログラムが提供されてもよい。また、上記プログラムを記憶した読み取り可能な記憶媒体が提供されてもよい。この点については、図３０を参照して説明した情報取得部３５１及び通信制御部３５３、並びに、図３３を参照して説明した情報取得部３６１及び通信制御部３６３も、情報取得部３４１及び通信制御部３４３と同様である。
【０３５０】
（第２の応用例）
図４０は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３５１】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３５２】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３５３】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３５４】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図４０に示したように複数のＢＢプロセッサ９３４及び複数のＲＦ回路９３５を含んでもよい。なお、図４０には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３５５】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３５６】
アンテナスイッチ９３６の各々は、無線通信インタフェース９３３に含まれる複数の回路（例えば、異なる無線通信方式のための回路）の間でアンテナ９３７の接続先を切り替える。
【０３５７】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図４０に示したように複数のアンテナ９３７を有してもよい。なお、図４０にはカーナビゲーション装置９２０が複数のアンテナ９３７を有する例を示したが、カーナビゲーション装置９２０は単一のアンテナ９３７を有してもよい。
【０３５８】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３５９】
バッテリー９３８は、図中に破線で部分的に示した給電ラインを介して、図４０に示したカーナビゲーション装置９２０の各ブロックへ電力を供給する。また、バッテリー９３８は、車両側から給電される電力を蓄積する。
【０３６０】
図４０に示したカーナビゲーション装置９２０において、図２３を参照して説明した情報取得部３４１及び通信制御部３４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部３４１及び通信制御部３４３が実装されてもよい。この場合に、上記モジュールは、プロセッサを情報取得部３４１及び通信制御部３４３として機能させるためのプログラム（換言すると、プロセッサに情報取得部３４１及び通信制御部３４３の動作を実行させるためのプログラム）を記憶し、当該プログラムを実行してもよい。別の例として、プロセッサを情報取得部３４１及び通信制御部３４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部３４１及び通信制御部３４３を備える装置としてカーナビゲーション装置９２０又は上記モジュールが提供されてもよく、プロセッサを情報取得部３４１及び通信制御部３４３として機能させるためのプログラムが提供されてもよい。また、上記プログラムを記憶した読み取り可能な記憶媒体が提供されてもよい。この点については、図３０を参照して説明した情報取得部３５１及び通信制御部３５３、並びに、図３３を参照して説明した情報取得部３６１及び通信制御部３６３も、情報取得部３４１及び通信制御部３４３と同様である。
【０３６１】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部３４１及び通信制御部３４３（又は、情報取得部３５１及び通信制御部３５３、若しくは情報取得部３６１及び通信制御部３６３）を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３６２】
＜＜７．まとめ＞＞
ここまで、図１〜図４０を参照して、本開示の実施形態に係る装置及び処理を説明した。
【０３６３】
本開示に係る実施形態によれば、スモール基地局２００は、特定の端末グループ用のＭＢＳＦＮサブフレームに配置されるマルチキャストチャネルの構成を示すチャネル構成情報を取得する情報取得部と、上記チャネル構成情報を上記特定の端末グループに通知する通信制御部と、を備える。さらに、例えば、上記通信制御部は、上記特定の端末グループ用の識別情報を使用して、上記チャネル構成情報を上記特定の端末グループに通知する。
【０３６４】
また、本開示に係る実施形態によれば、端末装置３００は、特定の端末グループ用の識別情報を取得する情報取得部と、上記識別情報を使用して、上記特定の端末グループ用のＭＢＳＦＮサブフレームに配置されるマルチキャストチャネルの構成を示すチャネル構成情報であって、スモール基地局２００により上記特定の端末グループに通知される上記チャネル構成情報を取得する通信制御部と、を備える。
【０３６５】
これにより、例えば、特定の端末グループへのマルチキャストを行うことが可能になる。
【０３６６】
−特定の端末グループ用のＲＮＴＩ及びＤＣＩ
また、例えば、上記識別情報は、上記特定の端末グループ用のＲＮＴＩである。これにより、例えば、上記特定の端末グループに属する端末装置のみに、上記チャネル構成情報を通知することが可能になる。
【０３６７】
また、例えば、スモール基地局２００の上記通信制御部は、上記特定の端末グループ用のＲＮＴＩを使用して、ＰＤＣＣＨ上で送信されるＤＣＩを通じて、上記チャネル構成情報を上記特定の端末グループに通知する。また、端末装置３００の通信制御部は、上記特定の端末グループ用のＲＮＴＩを使用して、ＰＤＣＣＨ上で送信されるＤＣＩを通じて、上記チャネル構成情報を取得する。これにより、例えば、上記チャネル構成情報を必要に応じて迅速に上記特定の端末グループに通知することが可能になる。
【０３６８】
−マルチキャストチャネル
第１の実施形態によれば、上記マルチキャストチャネルは、ＭＣＣＨである。これにより、例えば、上記特定の端末グループに属する端末装置が上記特定の端末グループ用のＭＣＣＨの情報を取得することが可能になる。そのため、当該端末装置は、上記特定の端末グループ用のＰＭＣＨと、当該ＰＭＣＨにマッピングされるＭＴＣＨ（即ち、上記特定の端末グループ用のＭＴＣＨ）とを特定し得る。即ち、上記特定の端末グループへのマルチキャストが行われ得る。
【０３６９】
第２の実施形態によれば、上記マルチキャストチャネルは、ＰＭＣＨである。これにより、例えば、上記特定の端末グループに属する端末装置が、上記特定の端末グループ用のＰＭＣＨと、当該ＰＭＣＨにマッピングされるＭＴＣＨ（即ち、上記特定の端末グループ用のＭＴＣＨ）とを特定することが可能になる。即ち、上記特定の端末グループへのマルチキャストが行われ得る。
【０３７０】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０３７１】
例えば、特定の端末グループがＣＳＧであるという例を説明したが、ＣＳＧは、スモール基地局で管理される代わりに、コアネットワーク４０内のＭＭＥ（Mobility  Management  Entity）により管理されてもよい。例えば、ＭＢＳＦＮサービスのサービスプロバイダが、ＭＢＳＦＮサービスの対象の端末装置（ユーザ）のリストを保持し、当該端末装置（ユーザ）の端末ＩＤがＭＭＥにコピーされてもよい。そして、ＭＭＥが、ＣＳＧのアクセス制御を行ってもよい。また、特定の端末グループは、ＣＳＧではなく、別の種類のグループであってもよい。
【０３７２】
また、例えば、特定の端末グループは、固定的なグループではなく、変動的なグループであってもよい。例えば、特定の端末グループに属さない端末装置が、所定のメッセージをネットワークに送信することにより、当該端末装置が、上記特定の端末グループに追加されてもよい。
【０３７３】
また、例えば、スモール基地局に着目した実施形態を説明したが、本開示は係る例に限定されない。例えば、上述したスモール基地局の動作をマクロ基地局が行ってもよい。即ち、本開示に係る技術は、スモール基地局のみではなく、マクロ基地局にも適用され得る。
【０３７４】
また、例えば、通信システムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、別の通信規格に準拠したシステムであってもよい。
【０３７５】
また、本明細書の処理における処理ステップは、必ずしもフローチャート又はシーケンス図に記載された順序に沿って時系列に実行されなくてよい。例えば、処理におけるステップは、フローチャート又はシーケンス図として記載した順序と異なる順序で実行されても、並列的に実行されてもよい。
【０３７６】
また、本明細書のノード（例えば、制御装置、スモール基地局及び／又は端末装置）に備えられるプロセッサ（例えば、ＣＰＵ、ＤＳＰなど）を上記ノードの構成要素（例えば、情報取得部及び通信制御部など）として機能させるためのコンピュータプログラム（換言すると、上記プロセッサに上記ノードの構成要素の動作を実行させるためのコンピュータプログラム）も作成可能である。また、当該コンピュータプログラムを記憶した記憶媒体も提供されてもよい。また、上記コンピュータプログラムを記憶するメモリと、上記コンピュータプログラムを実行可能な１つ以上のプロセッサとを備える装置（例えば、本体装置、又は本体装置のためのモジュール（処理回路若しくはチップなど））も提供されてもよい。
【０３７７】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３７８】
なお、以下のような構成も本開示の技術的範囲に属する。
（１）
特定の端末グループ用のＭＢＳＦＮ（Multimedia  Broadcast  Multicast  Service（MBMS）  over  Single  Frequency  Network）サブフレームに配置されるマルチキャストチャネルの構成を示すチャネル構成情報を取得する取得部と、
前記チャネル構成情報を前記特定の端末グループに通知する制御部と、
を備える装置。
（２）
前記制御部は、前記特定の端末グループ用の識別情報を使用して、前記チャネル構成情報を前記特定の端末グループに通知する、前記（１）に記載の装置。
（３）
前記識別情報は、前記特定の端末グループ用のＲＮＴＩ（Radio  Network  Temporary  Identifier）である、前記（２）に記載の装置。
（４）
前記制御部は、前記特定の端末グループに属する端末装置に前記識別情報を通知する、前記（２）又は（３）に記載の装置。
（５）
前記マルチキャストチャネルは、ＭＣＣＨ（Multicast  Control  Channel）である、前記（１）〜（４）のいずれか１項に記載の装置。
（６）
前記制御部は、システム情報ブロックの中で前記チャネル構成情報を報知しない、前記（５）に記載の装置。
（７）
前記チャネル構成情報は、前記マルチキャストチャネルが配置されるサブフレームを示す情報を含む、前記（５）又は（６）に記載の装置。
（８）
前記制御部は、前記マルチキャストチャネルの情報が変更されるときに、前記チャネル構成情報を前記特定の端末グループに通知する、前記（５）〜（７）のいずれか１項に記載の装置。
（９）
前記マルチキャストチャネルは、ＰＭＣＨ（Physical  Multicast  Channel）である、前記（１）〜（４）のいずれか１項に記載の装置。
（１０）
前記チャネル構成情報は、ＭＢＳＦＮエリアコンフィギュレーションメッセージである、前記（９）に記載の装置。
（１１）
前記制御部は、前記チャネル構成情報が変更されるときに、前記チャネル構成情報を前記特定の端末グループに通知する、前記（９）又は（１０）に記載の装置。
（１２）
前記制御部は、前記特定の端末グループに属する端末装置がＭＢＳＦＮエリアにおいて接続されるときに、前記チャネル構成情報を当該端末装置に通知する、前記（５）〜（１１）のいずれか１項に記載の装置。
（１３）
前記制御部は、前記端末装置が前記ＭＢＳＦＮエリアにおいて接続されるときには、前記端末装置用の識別情報を使用して、前記チャネル構成情報を当該端末装置に通知する、前記（１２）に記載の装置。
（１４）
前記制御部は、前記特定の端末グループ用のＲＮＴＩを使用して、ＰＤＣＣＨ（Physical  Downlink  Control  Channel）上で送信されるＤＣＩ（Downlink  Control  Information）を通じて、前記チャネル構成情報を前記特定の端末グループに通知する、前記（１）〜（１３）のいずれか１項に記載の装置。
（１５）
前記制御部は、前記ＲＮＴＩを使用して、前記ＤＣＩの中で、前記チャネル構成情報が送信される無線リソースを示すリソース割当て情報を前記特定の端末グループに通知することにより、前記チャネル構成情報を前記特定の端末グループに通知する、前記（１４）に記載の装置。
（１６）
前記制御部は、前記特定の端末グループ用のＲＮＴＩを使用して、ＰＤＣＣＨ上で送信されるＤＣＩの中で前記チャネル構成情報を前記特定の端末グループに通知する、前記（５）〜（８）のいずれか１項に記載の装置。
（１７）
前記制御部は、前記特定の端末グループ用のＲＮＴＩを使用して、前記特定の端末グループ用のＭＢＳＦＮサブフレームのうちのＭＣＣＨが配置されるサブフレームのＰＤＣＣＨ上で送信されるＤＣＩの中で、当該サブフレームにＭＣＣＨが配置されていることを前記特定の端末グループに通知することにより、前記チャネル構成情報を前記特定の端末グループに通知する、前記（９）〜（１１）のいずれか１項に記載の装置。
（１８）
前記特定の端末グループは、ＣＳＧ（Closed  Subscriber  Group）である、前記（１）〜（１７）のいずれか１項に記載の装置。
（１９）
前記装置は、スモールセルの基地局、当該基地局のための基地局装置、又は当該基地局装置のためのモジュールである、前記（１）〜（１８）のいずれか１項に記載の装置。
（２０）
前記制御部は、前記特定の端末グループ用のＭＢＳＦＮサブフレームのうちのいずれのＭＴＣＨ（Multicast  Traffic  Channel）にも割り当てられないサブフレームの無線リソースを、前記特定の端末グループに属する端末装置に割り当てる、前記（１）〜（１９）のいずれか１項に記載の装置。
（２１）
特定の端末グループ用の識別情報を取得する取得部と、
前記識別情報を使用して、前記特定の端末グループ用のＭＢＳＦＮサブフレームに配置されるマルチキャストチャネルの構成を示すチャネル構成情報であって、基地局により前記特定の端末グループに通知される前記チャネル構成情報を取得する制御部と、
を備える装置。
（２２）
前記装置は、前記特定の端末グループに属する端末装置、又は当該端末装置のためのモジュールである、前記（２１）に記載の装置。
（２３）
前記制御部は、前記特定の端末グループ用のＭＢＳＦＮサブフレームのうちのいずれのＭＴＣＨにも割り当てられないサブフレームの無線リソースが端末装置に割り当てられているかを判定する、前記（２１）又は（２２）に記載の装置。
（２４）
特定の端末グループ用のＭＢＳＦＮサブフレームを決定する決定部、
を備える装置。
（２５）
前記決定部は、前記ＭＢＳＦＮサブフレームにおけるマルチキャストチャネルの配置を決定する、前記（２４）に記載の装置。
（２６）
前記ＭＢＳＦＮサブフレームを基地局に通知する通知部をさらに備える、前記（２４）又は（２５）に記載の装置。
【符号の説明】
【０３７９】
１                      通信システム
１０                    マクロセル
１１                    マクロ基地局
１００                  制御装置
１３１                  決定部
１３３                  通知部
１００                  制御装置
１３１                  決定部
１３３                  通知部
２００                  スモール基地局
２５１、２６１、２７１  情報取得部
２５３、２６３、２７３  通信制御部
２００                  端末装置
３４１、３５１、３６１  情報取得部
３４３、３５３、３６３  通信制御部
【図１】
2015142225.tif 000003
【図２】
2015142225.tif 000004
【図３】
2015142225.tif 000005
【図４】
2015142225.tif 000006
【図５】
2015142225.tif 000007
【図６】
2015142225.tif 000008
【図７】
2015142225.tif 000009
【図８】
2015142225.tif 000010
【図９】
2015142225.tif 000011
【図１０】
2015142225.tif 000012
【図１１】
2015142225.tif 000013
【図１２】
2015142225.tif 000014
【図１３】
2015142225.tif 000015
【図１４】
2015142225.tif 000016
【図１５】
2015142225.tif 000017
【図１６】
2015142225.tif 000018
【図１７】
2015142225.tif 000019
【図１８】
2015142225.tif 000020
【図１９】
2015142225.tif 000021
【図２０】
2015142225.tif 000022
【図２１】
2015142225.tif 000023
【図２２】
2015142225.tif 000024
【図２３】
2015142225.tif 000025
【図２４】
2015142225.tif 000026
【図２５】
2015142225.tif 000027
【図２６】
2015142225.tif 000028
【図２７】
2015142225.tif 000029
【図２８】
2015142225.tif 000030
【図２９】
2015142225.tif 000031
【図３０】
2015142225.tif 000032
【図３１】
2015142225.tif 000033
【図３２】
2015142225.tif 000034
【図３３】
2015142225.tif 000035
【図３４】
2015142225.tif 000036
【図３５】
2015142225.tif 000037
【図３６】
2015142225.tif 000038
【図３７】
2015142225.tif 000039
【図３８】
2015142225.tif 000040
【図３９】
2015142225.tif 000041
【図４０】
2015142225.tif 000042